(57)【要約】  本発明の反射型表示装置は、複数のサブ画素を有する画素を単位として２次元的に区画され、画像信号に基づいて前記サブ画素ごとに反射率を変えることができる反射型表示部と、前記反射型表示部と対向し、対向方向から見て前記画素の一部と重なるように配置された複数の着色層と、を備え、前記複数の着色層は、前記対向方向から見て２以上の前記サブ画素に重なる横断着色層を含んでおり、かつ前記複数の着色層は、前記対向方向から見て前記サブ画素当たり２以上の着色層が重なることがないように配置されている。
2018092877.tif 000002
【特許請求の範囲】
【請求項１】
複数のサブ画素を有する画素を単位として２次元的に区画され、画像信号に基づいて前記サブ画素ごとに反射率を変えることができる反射型表示部と、
前記反射型表示部と対向し、対向方向から見て前記画素の一部と重なるように配置された複数の着色層と、
を備え、
前記複数の着色層は、前記対向方向から見て２以上の前記サブ画素に重なる横断着色層を含んでおり、
かつ前記複数の着色層は、前記対向方向から見て前記サブ画素当たり２以上の着色層が重なることがないように配置されている、
反射型表示装置。
【請求項２】
前記複数の着色層は、
第１の配列方向および前記第１の配列方向に交差する第２の配列方向において隙間をあけて２次元的に配列され、前記画素に対向する領域では、前記対向方向から見て互いに離間しかつ前記サブ画素ごとに前記サブ画素の範囲を超えることなく前記サブ画素に重なって配置されており、
前記横断着色層は、
第１の画素に含まれる第１のサブ画素と、前記第１の画素と隣り合う第２の画素に含まれる第２のサブ画素と、に重なる画素境界横断着色層を含んでいる、
請求項１に記載の反射型表示装置。
【請求項３】
前記対向方向から見て前記第１の画素に重なる前記横断着色層は、前記画素境界横断着色層からなる、
請求項２に記載の反射型表示装置。
【請求項４】
前記画素は矩形状であり、
前記横断着色層は、矩形格子状に配列された４つの前記画素に対向して配置されている、
請求項２又は請求項３に記載の反射型表示装置。
【請求項５】
前記画素における複数の前記サブ画素は、
前記対向方向から見て前記複数の着色層のいずれにも重ならない非着色サブ画素を含む、
請求項２から請求項４のいずれか一項に記載の反射型表示装置。
【請求項６】
前記複数の着色層のうち、前記対向方向から見て前記画素に重なる着色層群は、互いに異なる色に着色されている、
請求項２から請求項５のいずれか一項に記載の反射型表示装置。
【請求項７】
前記複数の着色層は、
第１の配列方向において隙間をあけて１次元的に配列され、前記画素に対向する領域では、前記対向方向から見て互いに離間しかつ前記サブ画素ごとに前記サブ画素の範囲を超えることなく前記サブ画素に重なって配置されており、
前記横断着色層は、
第１の画素に含まれる第１のサブ画素と、前記第１の画素と前記第１の配列方向において隣り合う第２の画素に含まれる第２のサブ画素と、に重なる画素境界横断着色層を含んでいる、
請求項１に記載の反射型表示装置。
【請求項８】
前記複数の着色層は、
前記対向方向から見て前記画素の内側で前記画素と重なり、かつ互いに隙間をあけて配置されている、
請求項１に記載の反射型表示装置。
【請求項９】
前記複数の着色層は、
第１の配列方向に延在する複数の第１列及び複数の第２列に沿って配列され、
前記第１の配列方向に交差する第２の配列方向に沿って、前記複数の第１列は前記複数の第２列と隣接するように互い違いに並んでおり、
前記第２列に並ぶ前記着色層は、前記第１列に並ぶ前記着色層から前記第１の配列方向に沿って一画素分だけずれた位置に配置されている、
請求項１に記載の反射型表示装置。
【発明の詳細な説明】
【技術分野】
【０００１】
本発明は、反射型表示装置に関する。
本願は、２０１６年１１月１７日に日本に出願された特願２０１６−２２４３２１号に基づき優先権を主張し、その内容をここに援用する。
【背景技術】
【０００２】
表示装置として、表示単位ごとに透過率または反射率を変えることができる表示部と、表示部の表示単位ごとに、着色層が対向して配置されたカラーフィルタとを備える透過型または反射型の表示装置が知られている。
例えば、透過型表示装置として、バックライトを使用した透過型液晶表示装置が知られている。透過型液晶表示装置は、使用者がカラーフィルタを透過した光を直接見ることになるため、使用者の目にかかる負担が大きい。
これに対して、反射型表示装置は、例えば、カラーフィルタに入射する自然光などの外光を、カラーフィルタに対向された反射型表示部によって反射することで、カラー表示が行われる。このため、反射型表示装置は、透過型表示装置に比べると使用者の目にかかる負担が小さくなり、使用者が表示画面を長時間見続ける作業により適している。反射型表示装置は、表示用光源を内蔵しなくても構成できるため、電力消費も少ない。
反射型表示装置の例として、例えば、電子泳動方式、ツイストボール方式などの反射型表示部を備えた装置が提案されている。このような反射型表示装置は、印刷された紙面と同様に外光の反射光によって文字や画像を表示するため、紙表示媒体に近い表示装置として注目されている。【０００３】
特許文献１には、電気泳動方式を用いたモノクロ表示器の各画素電極に対向する矩形状の着色層が配置されたカラーディスプレイが提案されている。特許文献１における着色層は、バンクによって仕切られた構成と、バンクを用いることなく互いに隙間をあけて配置された構成と、が記載されている。
特許文献２には、少なくとも一方が透明な一対の基板間に、電界の印加により移動または回転する粒子を含む表示体を配置した多色表示パネルにおいて、一対の基板の少なくとも一方の透明な基板上に、カラーフィルタを形成した多色表示パネルが提案されている。
特許文献２には、カラーフィルタの構成として、三原色に着色された正方形状の３つの着色層が正方格子状に配列された構成と、三原色に着色され、一方向に延びた細長いストライプ状の着色層が配列された構成と、が記載されている。
【先行技術文献】
【特許文献】
【０００４】
【特許文献１】日本国特開２００７−２９８６３２号公報
【特許文献２】日本国特開２００３−１６１９６４号公報
【発明の概要】
【発明が解決しようとする課題】
【０００５】
しかしながら、上記のような従来の反射型表示装置には以下のような問題がある。
特許文献１、２の各装置において、互いに隣り合う着色層は、製造時の混色を避けるため、互いに離間して配置されている。
隣り合う着色層がバンクで仕切られる場合、外光の反射光がバンクによって遮光されるため表示光の光量が低下してしまうという問題がある。
隣り合う着色層が隙間を有する場合、着色層間の隙間は外光を反射することができるため、明るい表示画面が得られる。しかし、単位画素において、着色層が占める面積が相対的に低下するため、表示色の彩度が劣ってしまうという問題がある。【０００６】
本発明は、上記問題点に鑑みてなされたものであり、表示色の彩度の低下を低減することができる反射型表示装置を提供することを目的とする。
【課題を解決するための手段】
【０００７】
上記の課題を解決するために、本発明の態様の反射型表示装置は、複数のサブ画素を有する画素を単位として２次元的に区画され、画像信号に基づいて前記サブ画素ごとに反射率を変えることができる反射型表示部と、前記反射型表示部と対向し、対向方向から見て前記画素の一部と重なるように配置された複数の着色層と、を備え、前記複数の着色層は、前記対向方向から見て２以上の前記サブ画素に重なる横断着色層を含んでおり、かつ前記複数の着色層は、前記対向方向から見て前記サブ画素当たり２以上の着色層が重なることがないように配置されている。【０００８】
上記反射型表示装置においては、前記複数の着色層は、第１の配列方向および前記第１の配列方向に交差する第２の配列方向において隙間をあけて２次元的に配列され、前記画素に対向する領域では、前記対向方向から見て互いに離間しかつ前記サブ画素ごとに前記サブ画素の範囲を超えることなく前記サブ画素に重なって配置されており、前記横断着色層は、第１の画素に含まれる第１のサブ画素と、前記第１の画素と隣り合う第２の画素に含まれる第２のサブ画素と、に重なる画素境界横断着色層を含んでいてもよい。【０００９】
上記反射型表示装置においては、前記対向方向から見て前記第１の画素に重なる前記横断着色層は、前記画素境界横断着色層からなっていてもよい。【００１０】
上記反射型表示装置においては、前記画素は矩形状であり、前記横断着色層は、矩形格子状に配列された４つの前記画素に対向して配置されていてもよい。【００１１】
上記反射型表示装置においては、前記画素における複数の前記サブ画素は、前記対向方向から見て前記複数の着色層のいずれにも重ならない非着色サブ画素を含んでもよい。【００１２】
上記反射型表示装置においては、前記複数の着色層のうち、前記対向方向から見て前記画素に重なる着色層群は、互いに異なる色に着色されていてもよい。【００１３】
上記反射型表示装置においては、前記複数の着色層は、第１の配列方向において隙間をあけて１次元的に配列され、前記画素に対向する領域では、前記対向方向から見て互いに離間しかつ前記サブ画素ごとに前記サブ画素の範囲を超えることなく前記サブ画素に重なって配置されており、前記横断着色層は、第１の画素に含まれる第１のサブ画素と、前記第１の画素と前記第１の配列方向において隣り合う第２の画素に含まれる第２のサブ画素と、に重なる画素境界横断着色層を含んでいてもよい。【００１４】
上記反射型表示装置においては、前記複数の着色層は、前記対向方向から見て前記画素の内側で前記画素と重なり、かつ互いに隙間をあけて配置されていてもよい。【００１５】
上記反射型表示装置においては、前記複数の着色層は、第１の配列方向に延在する複数の第１列及び複数の第２列に沿って配列され、前記第１の配列方向に交差する第２の配列方向に沿って、前記複数の第１列は前記複数の第２列と隣接するように互い違いに並んでおり、前記第２列に並ぶ前記着色層は、前記第１列に並ぶ前記着色層から前記第１の配列方向に沿って一画素分だけずれた位置に配置されてもよい。
【発明の効果】
【００１６】
本発明の態様の反射型表示装置によれば、表示色の彩度の低下を低減することができるという効果を奏する。
【図面の簡単な説明】
【００１７】
【図１】本発明の第１の実施形態に係る反射型表示装置の主要部の構成を示す模式的な縦断面図である。
【図２】本発明の第１の実施形態に係る反射型表示装置の着色層の配列を示す模式的な平面図である。
【図３】本発明の第１の実施形態に係る反射型表示装置の駆動状態の一例を説明する模式図である。
【図４Ａ】本発明の第１の実施形態に係る反射型表示装置における画素と着色層との位置関係を示す模式的な平面図である。
【図４Ｂ】比較例の反射型表示装置における画素と着色層との位置関係を示す模式的な平面図である。
【図５Ａ】本発明の第１の実施形態の変形例（第１変形例）の反射型表示装置の主要部の構成を示す模式的な平面図である。
【図５Ｂ】本発明の第１の実施形態の変形例（第２変形例）の反射型表示装置の主要部の構成を示す模式的な平面図である。
【図６】本発明の第２の実施形態に係る反射型表示装置の主要部の構成を示す模式的な平面図である。
【図７】本発明の第２の実施形態の変形例（第３変形例）の反射型表示装置の主要部の構成を示す模式的な平面図である。
【図８】本発明の第３の実施形態に係る反射型表示装置の主要部の構成を示す模式的な平面図である。
【図９】本発明の第４の実施形態に係る反射型表示装置の主要部の構成を示す模式的な平面図である。
【図１０】本発明の第５の実施形態に係る反射型表示装置の主要部の構成を示す模式的な平面図である。
【図１１】本発明の第６の実施形態に係る反射型表示装置の主要部の構成を示す模式的な平面図である。
【図１２】本発明の第６の実施形態の変形例（第４変形例）の反射型表示装置の主要部の構成を示す模式的な平面図である。
【図１３】本発明の第７の実施形態に係る反射型表示装置の主要部の構成を示す模式的な平面図である。
【図１４】本発明の第７の実施形態の変形例（第５変形例）の反射型表示装置の主要部の構成を示す模式的な平面図である。
【図１５】本発明の第８の実施形態に係る反射型表示装置の主要部の構成を示す模式的な平面図である。
【図１６】本発明の第８の実施形態の変形例（第６変形例）の反射型表示装置の主要部の構成を示す模式的な平面図である。
【図１７Ａ】本発明の第９の実施形態に係る反射型表示装置の主要部の構成を示す模式的な平面図である。
【図１７Ｂ】本発明の第９の実施形態に係る反射型表示装置の主要部の構成を示す模式的な平面図であって、図１７Ａを部分的に拡大した拡大図である。
【図１８】本発明の第１０の実施形態に係る反射型表示装置の主要部の構成を示す模式的な平面図である。
【図１９Ａ】本発明の第１１の実施形態に係る反射型表示装置の主要部の構成を示す模式的な平面図である。
【図１９Ｂ】本発明の第１１の実施形態に係る反射型表示装置の主要部の構成を示す模式的な平面図であって、図１９Ａを部分的に拡大した拡大図である。
【発明を実施するための形態】
【００１８】
以下では、本発明の実施形態について添付図面を参照して説明する。すべての図面において、実施形態が異なる場合であっても、同一または相当する部材には同一の符号を付し、共通する説明は省略する。
【００１９】
［第１の実施形態］
本発明の第１の実施形態に係る反射型表示装置について説明する。
図１は、本発明の第１の実施形態に係る反射型表示装置の主要部の構成を示す模式的な縦断面図である。図２は、本発明の第１の実施形態に係る反射型表示装置の着色層の配列を示す模式的な平面図である。図３は、本発明の第１の実施形態に係る反射型表示装置の駆動状態の一例を説明する模式図である。
【００２０】
図１に主要部の構成を示すように、本実施形態に係る反射型表示パネル１Ａ（反射型表示装置）は、基板１０、第１の電極層１１、接着層１２、反射表示層１３（反射型表示部）、第２の電極層１４、基材１５、インク定着層１６、カラーフィルタ層１７、および保護層１８が、この順に積層されて構成される。
反射型表示パネル１Ａは、外部からの入射光をカラーフィルタ層１７で第１色、第２色、第３色、および無彩色に分割し、画像信号に基づいて駆動される反射表示層１３によりこれら４色の反射光量を調整することによってフルカラー画像を表示することができる反射型表示装置である。
【００２１】
基板１０は、板状の絶縁体で構成される。基板１０の材質は、例えば、ガラス基材などが用いられてもよいし、ＰＥＴ（ポリエチレンテレフタレート）フィルム、ＰＥＮ（ポリエチレンナフタレート）フィルム等のフィルム基材が用いられてもよい。基板１０の表面には、第１の電極層１１が積層されている。
【００２２】
第１の電極層１１は、後述する反射表示層１３の反射率を変える駆動電圧を反射表示層１３に印加する。第１の電極層１１は、本実施形態では、表示単位である画素内のサブ画素ごとに電圧を印加できるように、サブ画素の形状、配置に対応してパターニングされている。
第１の電極層１１は、各画素内において第１色、第２色、第３色、および無彩色の階調を制御するために、後述する反射表示層１３を駆動する駆動電圧を印加する駆動電極である。
図２に二点鎖線で示すように、複数の第１の電極層１１のそれぞれは、第１色用サブ画素電極１１ｒ、第２色用サブ画素電極１１ｇ、第３色用サブ画素電極１１ｂ、および無彩色用サブ画素電極１１ｎを備える。以下では、説明を簡単にするため、第１色用サブ画素電極１１ｒ、第２色用サブ画素電極１１ｇ、第３色用サブ画素電極１１ｂ、無彩色用サブ画素電極１１ｎを総称する場合、「各駆動電極」あるいは「各サブ画素電極」と表記する場合がある。
第１の電極層１１は、例えば、ＩＴＯ等の酸化インジウム系、酸化スズ系、酸化亜鉛系のような透明性を有する導電性酸化物、又はカーボンナノチューブやチオフェン系化合物などによって形成されてもよい。
【００２３】
図１に示すように、第１の電極層１１上には、接着層１２を介して反射表示層１３が積層されている。
接着層１２の材質は、第１の電極層１１と反射表示層１３の表面１３ｂとを互いに接着することができれば、特に限定されない。
【００２４】
反射表示層１３は、層厚方向に電界が印加されることにより、少なくとも白と黒とを切り替えて表示することができる適宜の層構成が用いられる。
本実施形態では、反射表示層１３は、電界の大きさに応じて反射率が最小値（黒）から最大値（白）に漸次変化する構成が用いられている。このため、反射表示層１３は、白黒の階調表現が可能になっている。
反射表示層１３の反射率は、表面１３ｂと反対側の表面１３ａにおいて変化すればよい。
例えば、反射表示層１３は、反射型液晶方式、コレスティック液晶方式、電気泳動方式（マイクロカプセル方式等）、マイクロカップ方式、エレクトロクロミック方式等から選ばれた方式の構成が用いられてもよい。
【００２５】
第２の電極層１４は、反射表示層１３の表面１３ａに積層されている透明電極である。
本実施形態では、第２の電極層１４は、第１の電極層１１の全体を覆う領域に配置されている。
第１の電極層１１における各駆動電極と、第２の電極層１４とは、図示略のスイッチング素子を介して図示略の駆動電源に接続されている。このため、画像信号に応じてスイッチング素子が駆動されると、画像信号に応じた駆動電圧による電界が各駆動電極と第２の電極層１４との間に発生するようになっている。
第２の電極層１４の材質としては、例えば、酸化インジウム錫（ＩＴＯ）などの導電性を有する透明材料が用いられてもよい。
【００２６】
基材１５は、第２の電極層１４上に積層された光透過性の層状部である。
基材１５の材質としては、例えば、ガラス基材が用いられてもよいし、ＰＥＴ（ポリエチレンテレフタレート）フィルム、ＰＥＮ（ポリエチレンナフタレート）フィルム等のフィルム基材が用いられてもよい。
【００２７】
インク定着層１６は、後述するカラーフィルタ層１７を基材１５上に定着するために形成された光透過性を有する層状部である。本実施形態では、反射型表示パネル１Ａがインク定着層１６を備える場合の例で説明するが、後述するカラーフィルタ層１７を基材１５上に直接形成する場合には、インク定着層１６は省略されてもよい。
インク定着層１６は、基材１５において第２の電極層１４と接する表面と反対側の表面１５ａ上に積層されている。
インク定着層１６の材質は、基材１５および後述するカラーフィルタ層１７の材質に応じて適宜の材質が用いられる。
インク定着層１６の材質の例としては、例えば、ウレタン樹脂、ポリエステル樹脂、アクリル樹脂、ビニルアルコール樹脂等が挙げられる。
インク定着層１６は、後述するカラーフィルタ層１７を形成する各インクの溶媒の吸収性を高めるため、合成シリカやアルミナなどの多孔質物質を含有していてもよい。
【００２８】
インク定着層１６の形成方法は特に限定されない。
例えば、インク定着層１６は、インク定着層１６を形成するためインク定着層形成用塗液が基材１５上に塗工された後、乾燥されることによって、形成されてもよい。
インク定着層１６が枚葉処理によって形成される場合、インク定着層形成用塗液は、例えば、スクリーン印刷法、オフセット印刷法、スピンコート法、およびダイによる間歇塗工などによって塗工されてもよい。
インク定着層１６がロール・トゥ・ロールによる連続処理によって形成される場合、インク定着層形成用塗液は、例えば、ダイコーティング、コンマコート、カーテンコート、グラビアコートなどによって塗工されてもよい。
【００２９】
基材１５上に塗工されたインク定着層形成用塗液の乾燥方法としては、例えば、加熱、送風、減圧等が用いられてもよい。
後述するように、本実施形態では、基板１０上に、第１の電極層１１、接着層１２、反射表示層１３、第２の電極層１４、および基材１５が積層された後、インク定着層１６が形成される。インク定着層形成用塗液の乾燥工程は、これらの層に許容範囲外の熱変形が生じない程度の温度環境で行われる。例えば、基板１０および基材１５の少なくとも一方に熱可塑性樹脂フィルムが用いられる場合には、この熱可塑性樹脂フィルムのガラス転移点以下の温度で乾燥工程が行われることがより好ましい。
【００３０】
カラーフィルタ層１７は、インク定着層１６の表面１６ａ上に積層されている。カラーフィルタ層１７は、インク定着層１６を挟んで反射表示層１３と対向している。
図２に示すように、複数のカラーフィルタ層１７のそれぞれは、着色層として、第１着色層１７ｒ、第２着色層１７ｇ、および第３着色層１７ｂを備える。
第１着色層１７ｒは、第１色の波長成分のみを透過する透過波長帯域を有する。第２着色層１７ｇは、第２色の波長成分のみを透過する透過波長帯域を有する。第３着色層１７ｂは、第３色の波長成分のみを透過する透過波長帯域を有する。
第１色、第２色、および第３色は、互いに波長帯域が異なり、かつこれらの色の組み合わせによってフルカラー表示が可能であれば特に限定されない。
第１色、第２色、および第３色の組み合わせは、各色の透過光が混合したとき白色光になるように選ばれることが好ましい。
例えば、第１色、第２色、および第３色は、赤、緑、および青とされてもよい。赤、緑、および青は第１色、第２色、および第３色と対応する順序が適宜入れ替えられてもよい。
例えば、第１色、第２色、および第３色は、シアン、マゼンタ、およびイエローとされてもよい。シアン、マゼンタ、およびイエローは第１色、第２色、および第３色と対応する順序が適宜入れ替えられてもよい。
以下では、説明を簡単にするため、第１着色層１７ｒ、第２着色層１７ｇ、および第３着色層１７ｂを総称する場合、「各着色層」と表記する場合がある。
【００３１】
第１着色層１７ｒ、第２着色層１７ｇ、および第３着色層１７ｂは、反射表示層１３を間に挟んで、第１色用サブ画素電極１１ｒ、第２色用サブ画素電極１１ｇ、および第３色用サブ画素電極１１ｂと対向するように配置されている。
図１に示すように、本実施形態では、各着色層と反射表示層１３の表面１３ａとの間は、第２の電極層１４、基材１５、およびインク定着層１６が積層された光透過層１９によって離隔されている。
光透過層１９は、第１色、第２色、第３色、および白色の光を良好に透過することができる。
【００３２】
次に、第１の電極層１１およびカラーフィルタ層１７の平面視の形状および配置パターンについて説明する。カラーフィルタ層１７の平面視の形状は、反射表示層１３に対する対向方向から見た形状になっている。
図２は、反射型表示パネル１Ａの一部を、保護層１８を省略して示した模式的な平面図になっている。図２におけるＡ−Ａ断面は、図１において保護層１８を除去したのと同様の断面になる。
【００３３】
図２に示すように、第１色用サブ画素電極１１ｒ、第２色用サブ画素電極１１ｇ、第３色用サブ画素電極１１ｂ、および無彩色用サブ画素電極１１ｎの平面視の外形は、いずれも矩形状である。各サブ画素電極における各長手幅および各短手幅は、互いに異なっていてもよい。図２には、一例として、各サブ画素電極の平面視の形状が同一の大きさを有する正方形からなる例が示されている。
ただし、各サブ画素電極の平面視形状は、互いに同じ大きさを有する長方形、または大きさが一致していない矩形であってもよい。さらに、例えばスイッチング素子の配置位置などによっては、各サブ画素電極の形状は、矩形の一部に、凹部または凸部が形成された疑似的な矩形であってもよい。
【００３４】
以下では、説明を簡単にするため、特に断らない限り、各サブ画素電極の平面視形状は、Ｘ方向（図２の左から右に向かう方向）と、Ｘ方向に直交するＹ方向（図２の上から下に向かう方向）とに、それぞれ延びる辺を有する同一形状の矩形の例で説明する。各サブ画素電極の配列ピッチは、Ｘ方向およびＹ方向のそれぞれにおいて均等であるとする。
反射型表示パネル１Ａの有効表示画面の形状が矩形の場合、Ｘ方向、Ｙ方向は、それぞれ有効表示画面の水平方向、垂直方向であってもよい。
【００３５】
本実施形態では、基板１０上においてＸ方向およびＹ方向に区画された矩形状の領域に各サブ画素電極が配置されている。例えば、図２におけるＡ−Ａ線に沿う断面では、図１に示すように、Ｘ方向において、第２色用サブ画素電極１１ｇ、第１色用サブ画素電極１１ｒ、第１色用サブ画素電極１１ｒ、および第２色用サブ画素電極１１ｇがこの順に配列されている。これらのサブ画素電極に対してＹ方向と反対方向（図１が示す上側）には、それぞれ第３色用サブ画素電極１１ｂ、無彩色用サブ画素電極１１ｎ、無彩色用サブ画素電極１１ｎ、および第３色用サブ画素電極１１ｂがそれぞれ隣り合っている。
図１に、第２色用サブ画素電極１１ｇと第１色用サブ画素電極１１ｒとの場合の例を示すように、各サブ画素電極は、サブ画素電極のそれぞれが対向する反射表示層１３の部位（図１に示された二点鎖線を参照）に電圧を印加することによって、反射表示層１３のそれぞれの部位の反射率を変えることができる。
例えば、図３には、各第１色用サブ画素電極１１ｒに電圧が印加され、第１色用サブ画素電極１１ｒのそれぞれが対向する反射表示層１３の部位に白色部１３Ｗが形成された様子が模式的に示されている。
各サブ画素電極は、反射表示層１３を、反射率が変更可能な駆動単位であるサブ画素に分割している。
本実施形態におけるサブ画素は、各サブ画素電極が矩形状でありＸ方向およびＹ方向においてそれぞれ均等なピッチで配列されていることに対応して、反射表示層１３の表面１３ａを２次元の矩形格子状に区画する。
各サブ画素のＸ方向幅をＷＸ、Ｙ方向幅をＷＹと表記する。本実施形態では、各サブ画素のＸ方向の配列ピッチはＷＸ、Ｙ方向の配列ピッチはＷＹである。
【００３６】
第１色用サブ画素電極１１ｒ、第２色用サブ画素電極１１ｇ、第３色用サブ画素電極１１ｂ、および無彩色用サブ画素電極１１ｎが２×２の矩形格子状に配列された領域に対向する４つのサブ画素は、画素Ｐ（図２に示された太破線を参照）を構成する。画素Ｐは、反射型表示パネル１Ａにおけるフルカラー表示の表示単位である。各画素ＰのＸ方向幅は２・ＷＸ、Ｙ方向幅は２・ＷＹである。
以下では、各画素Ｐにおける各サブ画素を、サブ画素Ｑ１、Ｑ２、Ｑ３、Ｑ４（図２に示された細かい破線を参照）と表記する。各画素Ｐにおける各サブ画素の相対的な位置関係はすべて同一である。ただし、図２では、説明を簡単にするため、画素Ｐ１のサブ画素のみ符号を記載している。
各画素Ｐにおけるサブ画素Ｑ２は、サブ画素Ｑ１に対してＸ方向と反対方向に隣り合っている。各画素Ｐにおけるサブ画素Ｑ３は、サブ画素Ｑ２に対してＹ方向に隣り合っている。各画素Ｐにおけるサブ画素Ｑ４は、サブ画素Ｑ３（Ｑ１）に対してＸ（Ｙ）方向に隣り合っている。
【００３７】
サブ画素Ｑ１、Ｑ２、Ｑ３、Ｑ４に対向する各サブ画素電極の種類は、画素Ｐによって異なる。
例えば、図２における画素Ｐ１では、サブ画素Ｑ１、Ｑ２、Ｑ３、Ｑ４は、それぞれ第３色用サブ画素電極１１ｂ、無彩色用サブ画素電極１１ｎ、第１色用サブ画素電極１１ｒ、第２色用サブ画素電極１１ｇと対向している。
画素Ｐ１に対してＸ方向と反対方向に隣り合っている画素Ｐ２では、サブ画素Ｑ１、Ｑ２、Ｑ３、Ｑ４は、それぞれ無彩色用サブ画素電極１１ｎ、第３色用サブ画素電極１１ｂ、第２色用サブ画素電極１１ｇ、第１色用サブ画素電極１１ｒと対向している。画素Ｐ２における各サブ画素電極の配置パターンは、画素Ｐ１における配置パターンをＸ方向において反転したパターンである。
図２においては他の画素Ｐにおける各サブ画素電極の符号が省略されているが、各サブ画素と各サブ画素電極との対応は以下の通りである。
画素Ｐ２に対してＹ方向に隣り合っている画素Ｐ３では、サブ画素Ｑ１、Ｑ２、Ｑ３、Ｑ４は、それぞれ第１色用サブ画素電極１１ｒ、第２色用サブ画素電極１１ｇ、第３色用サブ画素電極１１ｂ、無彩色用サブ画素電極１１ｎと対向している。画素Ｐ３における各サブ画素電極の配置パターンは、画素Ｐ２における配置パターンをＹ方向において反転したパターンである。
画素Ｐ３（Ｐ１）に対してＸ方向（Ｙ方向）に隣り合っている画素Ｐ４では、サブ画素Ｑ１、Ｑ２、Ｑ３、Ｑ４は、それぞれ第２色用サブ画素電極１１ｇ、第１色用サブ画素電極１１ｒ、無彩色用サブ画素電極１１ｎ、第３色用サブ画素電極１１ｂと対向している。
画素Ｐ４における各サブ画素電極の配置パターンは、画素Ｐ３（Ｐ１）における配置パターンをＸ（Ｙ）方向において反転したパターンである。
【００３８】
上述のように、画素Ｐ１、Ｐ２、Ｐ３、Ｐ４は、２×２の矩形格子状に配置されている。反射表示層１３において、画素Ｐ１、Ｐ２、Ｐ３、Ｐ４は、Ｘ方向およびＹ方向における繰り返し単位Ｕを構成している。繰り返し単位Ｕの平面視の外形は、Ｘ方向に延びる辺の長さが４・ＷＸ、Ｙ方向に延びる辺の長さが４・ＷＹの矩形である。繰り返し単位Ｕは、Ｘ方向にはピッチ４・ＷＸで、Ｙ方向にはピッチ４・ＷＹで矩形格子状に配列されている。
ただし、本実施形態では、反射型表示パネル１Ａの有効表示画面は矩形であるため、有効表示画面の外周部には、繰り返し単位Ｕのうち、半分（２画素）または４分の１（１画素）の部分のみが配置される箇所がある。
【００３９】
図２に模式的に示すように、カラーフィルタ層１７における第１着色層１７ｒ、第２着色層１７ｇ、および第３着色層１７ｂの平面視の外形は、画素Ｐの外形よりもわずかに小さい矩形状である。各着色層の外形の辺はＸ方向またはＹ方向に延びている。
各着色層におけるＸ方向幅（Ｙ方向幅）は、着色層によって異なっていてもよい。ただし、図２には、各着色層におけるＸ方向幅（Ｙ方向幅）が互いに等しい場合の例が示されている。
各着色層の平面視外形は、図２に示すような厳密な矩形には限定されない。例えば、各着色層の角部は丸められていてもよい。
【００４０】
第１着色層１７ｒは、平面視にて、画素Ｐ１のサブ画素Ｑ３、画素Ｐ２のサブ画素Ｑ４、画素Ｐ３のサブ画素Ｑ１、および画素Ｐ４のサブ画素Ｑ２と重なる位置に配置されている。このため、第１着色層１７ｒは、４つのサブ画素Ｑ３、Ｑ４、Ｑ１、Ｑ２に重なる横断着色層になっている。
第１着色層１７ｒは、画素Ｐ１、Ｐ２の境界をなす辺Ｓ１２、画素Ｐ２、Ｐ３の境界をなす辺Ｓ２３、画素Ｐ３、Ｐ４の境界をなす辺Ｓ３４、画素Ｐ４、Ｐ１の境界をなす辺Ｓ４１をそれぞれ横断して配置されている。
このように第１着色層１７ｒは、４つの画素Ｐ１、Ｐ２、Ｐ３、Ｐ４に跨がっている。
例えば、第１着色層１７ｒは、画素Ｐ１を第１の画素としたとき、第１のサブ画素であるサブ画素Ｑ３と重なっている。第１着色層１７ｒは、画素Ｐ１と隣り合う第２の画素である画素Ｐ２（Ｐ４）における第２のサブ画素であるサブ画素Ｑ４（Ｑ２）と重なっている。このため、第１着色層１７ｒは画素境界横断着色層になっている。例えば、第１の画素として、画素Ｐ２、Ｐ３、Ｐ４を選んでも同様である。
なお、画素境界横断着色層は、必ず２以上のサブ画素に重なるため、横断着色層を構成している。
本実施形態では、第１着色層１７ｒは、対向するサブ画素Ｑ３、Ｑ４、Ｑ１、Ｑ２上に均等に重なっている。このため、第１着色層１７ｒの図心は、繰り返し単位Ｕの中心（辺Ｓ１２、Ｓ２３、Ｓ３４、Ｓ４１の交点）に位置している。
第１着色層１７ｒは、繰り返し単位Ｕと同様、Ｘ方向にはピッチ４・ＷＸで、Ｙ方向にはピッチ４・ＷＹで矩形格子状に配列されている。
【００４１】
第２着色層１７ｇは、第１着色層１７ｒと同様、Ｘ方向にはピッチ４・ＷＸで、Ｙ方向にはピッチ４・ＷＹで矩形格子状に配列されている。ただし、第２着色層１７ｇは、第１着色層１７ｒに対してＸ方向に±２・ＷＸだけ平行にずれた位置に配置されている。これにより、第２着色層１７ｇの図心は、繰り返し単位ＵのＹ方向に延びる各辺の中点Ｍ１、Ｍ２に配置されている。
第２着色層１７ｇは、中点Ｍ１（Ｍ２）の周りに配置された繰り返し単位Ｕの画素Ｐ１、Ｐ４（Ｐ３、Ｐ２）と、繰り返し単位Ｕの図示右隣（左隣）の繰り返し単位ＵのＰ３、Ｐ２（Ｐ１、Ｐ４）とをそれぞれ横断する画素境界横断着色層になっている。
【００４２】
第３着色層１７ｂは、第１着色層１７ｒと同様、Ｘ方向にはピッチ４・ＷＸで、Ｙ方向にはピッチ４・ＷＹで矩形格子状に配列されている。ただし、第３着色層１７ｂは、第１着色層１７ｒに対してＸ方向に±２・ＷＸだけ平行にずれるとともにＹ方向に±２・ＷＹだけ平行にずれた位置に配置されている。これにより、第３着色層１７ｂの図心は、繰り返し単位Ｕの外形の各頂点に配置されている。
第３着色層１７ｂは、繰り返し単位Ｕの外形の４つの頂点の周りにそれぞれ配置された画素Ｐ１、Ｐ２、Ｐ３、Ｐ４をそれぞれ横断する画素境界横断着色層になっている。
【００４３】
このような配列により、Ｘ方向（第１の配列方向）において第１着色層１７ｒと第２着色層１７ｇとが交互に配列された帯状の領域がＹ方向においてピッチ４・ＷＹで平行に並んでいる。Ｘ方向において隣り合う第１着色層１７ｒと第２着色層１７ｇとの間には、サブ画素の外形の辺を挟んで隙間があけられている。
さらに、Ｙ方向（第２の配列方向）において第２着色層１７ｇと第３着色層１７ｂとが交互に配列された帯状の領域がＸ方向においてピッチ４・ＷＸで平行に並んでいる。Ｙ方向において隣り合う第２着色層１７ｇと第３着色層１７ｂとの間には、サブ画素の外形の辺を挟んで隙間があけられている。
【００４４】
第１着色層１７ｒは、Ｙ方向において着色層が形成されていない非着色領域１７ｎと交互に配列されている。第３着色層１７ｂは、Ｘ方向において非着色領域１７ｎと交互に配列されている。
このため、繰り返し単位Ｕにおいて、画素Ｐ１のサブ画素Ｑ２、画素Ｐ２のサブ画素Ｑ１、画素Ｐ３のサブ画素Ｑ４、画素Ｐ４のサブ画素Ｑ３は、いずれの着色層も対向されていない非着色サブ画素を構成している。
【００４５】
繰り返し単位Ｕにおいて、各サブ画素には、それぞれ第１着色層１７ｒ、第２着色層１７ｇ、第３着色層１７ｂ、および非着色領域１７ｎの４分の１の領域が重なっている。各画素Ｐ内の各着色層の配置について、画素Ｐ３の配置例で説明する。
図４Ａは、本発明の第１の実施形態に係る反射型表示装置における画素と着色層との位置関係を示す模式的な平面図である。
【００４６】
図４Ａに示すように、画素Ｐ３のサブ画素Ｑ１、Ｑ２、Ｑ３、Ｑ４は、ＷＸ×ＷＹの矩形である。画素Ｐ３内において、第１着色層１７ｒ、第２着色層１７ｇ、第３着色層１７ｂは、互いに離間している。画素Ｐ３内において、第１着色層１７ｒ、第２着色層１７ｇ、第３着色層１７ｂは、それぞれサブ画素Ｑ１、Ｑ２、Ｑ３の領域を超えることなくサブ画素Ｑ１、Ｑ２、Ｑ３と重なっている。
【００４７】
画素Ｐ３内の第１着色層１７ｒは画素Ｐ３の外形を横断しているため、第１着色層１７ｒは画素Ｐ３の外形に対しては隙間なく配置されている。しかし、画素Ｐ３内の第１着色層１７ｒは、サブ画素Ｑ２、Ｑ４との境界に対して隙間δ（ただし、δ＞０）をあけた状態で配置されている。
同様に画素Ｐ３内の第２着色層１７ｇは、画素Ｐ３の外形に対しては隙間なく配置されている。しかし、画素Ｐ３内の第２着色層１７ｇは、サブ画素Ｑ１、Ｑ３との境界に対して隙間δ（ただし、δ＞０）をあけた状態で配置されている。
同様に画素Ｐ３内の第３着色層１７ｂは、画素Ｐ３の外形に対しては隙間なく配置されている。しかし、画素Ｐ３内の第３着色層１７ｂは、サブ画素Ｑ２、Ｑ４との境界に対して隙間δ（ただし、δ＞０）をあけた状態で配置されている。
【００４８】
このため、画素Ｐ３内において、第１着色層１７ｒと第２着色層１７ｇとはＸ方向に置いて２・δだけ離間している。同様に、第２着色層１７ｇと第３着色層１７ｂとはＹ方向に置いて２・δだけ離間している。
各着色層の面積は、（ＷＸ−δ）・（ＷＹ−δ）になっている。画素Ｐ３において非着色サブ画素の面積と隙間δの分を含めた非着色領域の総面積は、４・ＷＸ・ＷＹ−３・（ＷＸ−δ）・（ＷＹ−δ）である。
ここで、各着色層間の２・δの隙間は、製造誤差が生じても隣り合う着色層同士の接触を確実に防止できる大きさに設定されている。
第１着色層１７ｒと第３着色層１７ｂとは、画素Ｐ３の対角方向において互いに離間して配置されている。
【００４９】
以上、画素Ｐ３の例で説明したが、図２に示すように、繰り返し単位Ｕにおいて、第１着色層１７ｒが重なるサブ画素Ｑ３、Ｑ２に対して、Ｘ方向に隣接する画素Ｐ１のサブ画素Ｑ４、画素Ｐ４のサブ画素Ｑ１には、第２着色層１７ｇが重なっている。繰り返し単位Ｕにおいて、第１着色層１７ｒが重なるサブ画素Ｑ４、Ｑ１に対してＸ方向と反対方向に隣接する画素Ｐ２のサブ画素Ｑ３、画素Ｐ３のサブ画素Ｑ２には、第２着色層１７ｇが重なっている。
サブ画素の面積に対するサブ画素に対向する部分の着色層の面積を着色部面積率αとすると、本実施形態における着色部面積率αは下記式（１）で表される。
【００５０】
【数１】
2018092877.tif 000003
【００５１】
着色部面積率αは、２５％以上１００％未満であってもよい。
着色部面積率αが２５％未満であると、第１着色層１７ｒ、第２着色層１７ｇ、および第３着色層１７ｂを透過する光量が低下することで、色表示時の鮮やかさ（彩度）が低くなりすぎるおそれがある。
着色部面積率αは高いほどよいが、着色部面積率αが１００％に近くなると、カラーフィルタ層１７の製造方法によっては隣り合う着色層に混色が起こりやすくなる。このため、着色部面積率αは、製造工程において混色が起こらない着色部面積率にすることがより好ましい。例えば、インクジェット印刷法によってカラーフィルタ層１７を形成する場合には、面積率は、９９％以下とされてもよい。
【００５２】
カラーフィルタ層１７の製造方法について説明する。
カラーフィルタ層１７は、例えば、透過型液晶表示装置用のカラーフィルタにおいて行われているように、着色レジスト膜をフォトリソグラフィーによってパターニングする方法によって形成されてもよい。この場合には、インク定着層１６を設けることなく基材１５上に、直接的にカラーフィルタ層１７を形成することも可能である。
【００５３】
カラーフィルタ層１７は、例えば、各着色層の配列面である表面１６ａに各着色層の色に対応するインクを塗布し、固化させることによって形成されてもよい。
この場合、インクを第１着色層１７ｒ、第２着色層１７ｇ、および第３着色層１７ｂの各形成領域に塗布する塗り分けが行われることによって、ブラックマトリックスを形成することなくカラーフィルタ層１７が形成される。このカラーフィルタ層１７は、ブラックマトリックスによる光量損失がなくなるため、カラーフィルタ層１７の透過光量がより向上する。
【００５４】
カラーフィルタ層１７をインク塗布によって形成する場合、インク塗布方法は、インクの塗り分けが可能な適宜のインク塗布方法が用いられる。
カラーフィルタ層１７の形成に好適なインク塗布方法の例としては、例えば、スクリーン印刷法、オフセット印刷法、インクジェット印刷法などが挙げられる。特に、インクジェット印刷法は、第１の電極層１１に対するカラーフィルタ層１７の配置位置の位置合わせがより容易となり、生産性も高い点で、より好ましい。
インク定着層１６上に塗工された後のインクの固化方法の例としては、加熱、送風、減圧などによって乾燥させる方法が挙げられる。例えば、インクがＵＶインク等のエネルギー線硬化型インクの場合には、ＵＶ光等のエネルギー線を照射する方法が挙げられる。
特に、ＵＶインクが使用される場合、インク定着層１６を設けず、基材１５の表面にＵＶインクを直接塗布しても、カラーフィルタ層１７を形成することが可能である。
【００５５】
以下では、カラーフィルタ層１７をインクジェット印刷法によって形成する場合の製造方法およびインクについて詳しく説明する。
インクジェット印刷法に用いるインクジェット装置としては、インク吐出方法の相違によりピエゾ変換方式と熱変換方式とが知られているが、ピエゾ変換方式のインクジェット装置を用いることがより好ましい。
インクジェット装置のインクの粒子化周波数は５ｋＨｚ以上１００ｋＨｚ以下とされてもよい。
インクジェット装置のノズル径は、５μｍ以上８０μｍ以下とされてもよい。
インクジェット装置は、インクジェットヘッドを複数個備え、１つのインクジェットヘッドには６０個〜５００個程度ノズルが組み込まれていることがより好ましい。
【００５６】
カラーフィルタ層１７を形成するインク（以下、単に、インクと表記する）としては、例えば、着色剤、溶剤、バインダー樹脂、および分散剤が混合された構成が用いられてもよい。
【００５７】
インクに含有する着色剤としては、有機顔料、無機顔料、染料などを問わず色素全般が使用できる。着色剤としては、有機顔料がより好ましく、耐光性に優れるものを用いることがさらに好ましい。
【００５８】
着色剤の具体例としては、例えば、Ｃ．Ｉ．Ｐｉｇｍｅｎｔ  Ｒｅｄ  ９、１９、３８、４３、９７、１２２、１２３、１４４、１４９、１６６、１６８、１７７、１７９、１８０、１９２、２０８、２１５、２１６、２１７、２２０、２２３、２２４、２２６、２２７、２２８、２４０、２５４、Ｐｉｇｍｅｎｔ  Ｂｌｕｅ１５、１５：３、１５：６、１６、２２、２９、６０、６４、Ｃ．Ｉ．Ｐｉｇｍｅｎｔ  Ｇｒｅｅｎ  ７、３６、５６、５８、５９、Ｃ．Ｉ．Ｐｉｇｍｅｎｔ  Ｙｅｌｌｏｗ  ２０、２４、８６、８１、８３、９３、１０８、１０９、１１０、１１７、１２５、１３７、１３８、１３９、１４７、１４８、１５０、１５３、１５４、１６６、１６８、１８５、Ｃ．Ｉ．Ｐｉｇｍｅｎｔ  Ｏｒａｎｇｅ  ３６、７３、Ｃ．Ｉ．Ｐｉｇｍｅｎｔ  Ｖｉｏｌｅｔ２３等が挙げられる。
着色剤には、必要な色相が得られるように、２種以上の材料が混合されてもよい。
【００５９】
インクに含有する溶剤としては、インクジェット印刷における適性を考慮し、表面張力が３５ｍＮ／ｍ以下、かつ沸点が１３０℃以上の溶剤が用いられてもよい。
インクの表面張力が３５ｍＮ／ｍより大きいとインク吐出時のドット形状の安定性が悪くなるおそれがある。
インクの沸点が１３０℃未満であるとノズルに近い位置における乾燥性が著しく高くなるおそれがある。このため、ノズル詰まり等を起こすおそれがある。
【００６０】
溶剤の具体例としては、例えば、２−メトキシエタノール、２−エトキシエタノール、２−ブトキシエタノール、２−エトキシエチルアセテート、２−ブトキシエチルアセテート、２−メトキシエチルアセテート、２−エトキシエチルエーテル、２−（２−エトキシエトキシ）エタノール、２−（２−ブトキシエトキシ）エタノール、２−（２−エトキシエトキシ）エチルアセテート、２−（２−ブトキシエトキシ）エチルアセテート、２−フェノキシエタノール、ジエチレングリコールジメチルエーテル等が挙げられる。
溶剤は、必要に応じて２種類以上の溶剤が混合して用いられてもよい。
【００６１】
インクに含有するバインダー樹脂の例としては、例えば、アクリル系樹脂、ノボラック系樹脂、メラミン系樹脂、エポキシ系樹脂等が挙げられる。バインダー樹脂は、１種類の樹脂が単独でも用いられてもよいし、２種類以上が混合して用いられてもよい。
【００６２】
アクリル系樹脂の例としては、例えば、（メタ）アクリル酸、メチル（メタ）アクリレート、エチル（メタ）アクリレート、プロピル（メタ）アクリレート、ブチル（メタ）アクリレート、ベンジル（メタ）アクリレート、ラウリル（メタ）アクリレート、ヒドロキシエチル（メタ）アクリレート、ヒドロキシプロピル（メタ）アクリレート、エトキシエチル（メタ）アクリレート、グリシジル（メタ）アクリレート等のアルキル（メタ）アクリレートや、シクロヘキシル（メタ）アクリレート、イソボルニル（メタ）アクリレート、ジシクロペンテニル（メタ）アクリレート等の脂環式（メタ）アクリレート等の単量体（モノマー）の重合物が挙げられる。
上記のモノマーは、上記複数のモノマーのうちの１種類が単独で用いられてもよいし、２種以上が併用されてもよい。さらに、これらアクリレートと共重合可能なスチレン、シクロヘキシルマレイミド、フェニルマレイミド、シクロヘキシルマレイミド、フェニルマレイミド、メチルマレイミド、エチルマレイミド、ｎ−ブチルマレイミド、ラウリルマイレミド等の化合物が共重合された樹脂が用いられてもよい。
【００６３】
アクリル系樹脂には、エチレン性不飽和基が付加されていてもよい。
アクリル系樹脂にエチレン性不飽和基を付加させる方法の例としては、例えば、グリシジルメタクリレート等のエポキシ含有樹脂にアクリル酸等のエチレン性不飽和基とカルボン酸含有化合物を付加する方法、メタアクリル酸等のカルボン酸含有樹脂にグリシジルメタアクリレート等のエポキシ含有アクリレートを付加する方法、ヒドロキシメタアクリレート等の水酸基含有樹脂にメタクリロイルオキシエチルイソシアネート等のイソシアネート基含有アクリレートを付加する方法等が挙げられる。
【００６４】
ノボラック樹脂の例としては、例えば、フェノールノボラック系エポキシ樹脂、クレゾールノボラック系エポキシ樹脂等が挙げられる。
【００６５】
メラミン樹脂の例としては、例えば、アルキル化メラミン樹脂（メチル化メラミン樹脂、ブチル化メラミン樹脂など）、混合エーテル化メラミン樹脂等が挙げられる。メラミン樹脂は、高縮合タイプの樹脂であってもよいし、低縮合タイプの樹脂であってもよい。
メラミン樹脂は、１種類が単独で用いられてもよいし、２種類以上が混合して用いられてもよい。メラミン樹脂には、必要に応じて、さらにエポキシ樹脂が混合されてもよい。
【００６６】
エポキシ樹脂の例としては、例えば、グリセロール・ポリグリシジルエーテル、トリメチロールプロパン・ポリグリシジルエーテル、レゾルシン・ジグリシジルエーテル、ネオペンチルグリコール・ジグリシジルエーテル、１，６−ヘキサンジオール・ジグリシジルエーテル、エチレングリコール（ポリエチレングリコール）・ジグリシジルエーテル等が挙げられる。
エポキシ樹脂は、１種類が単独で用いられてもよいし、２種類以上が混合して用いられてもよい。
【００６７】
インクに含有するバインダー樹脂の質量平均分子量は、２００以上１００００以下の範囲内であってもよい。バインダー樹脂の質量平均分子量は、３００以上８０００以下の範囲内であることがより好ましい。
バインダー樹脂の質量平均分子量が１００００を超えると、カラーフィルタ層１７の乾燥工程時にインクの流動性が不足し、パターン平坦性が劣ってしまうおそれがある。
バインダー樹脂の質量平均分子量が３００未満では、耐溶剤性、耐熱性などの物性を劣ってしまうおそれがある。
【００６８】
インクに含有する分散剤は、溶剤への顔料の分散性を向上させる。
分散剤として、例えば、イオン性界面活性剤、非イオン性界面活性剤などが用いられてもよい。
分散剤の具体例としては、例えば、アルキルベンゼンスルホン酸ナトリウム、ポリ脂肪酸塩、脂肪酸塩アルキルリン酸塩、テトラアルキルアンモニウム塩、ポリオキシエチレンアルキルエーテル等が挙げられる。分散剤としては、有機顔料誘導体、ポリエステルなどが用いられてもよい。
分散剤は、１種類が単独で用いられてもよいし、２種類以上が混合して用いられてもよい。
【００６９】
インクの粘度は、１ｍＰａ・ｓ以上２０ｍＰａ・ｓ以下であってもよい。インクの粘度は、５ｍＰａ・ｓ以上１５ｍＰａ・ｓ以下であることがより好ましい。
インクの粘度が２０ｍＰａ・ｓを超えると、インクの吐出時にインクが所定の位置に着弾しない不良や、ノズル詰りといった不良を招くおそれがある。
インクの粘度が１ｍＰａ・ｓ未満であると、インクの吐出時に、飛散しやすくなるおそれがある。
【００７０】
インクにおける着色剤とバインダー樹脂との質量比は、１：９〜１：１の範囲であってもよい。インク中のバインダー樹脂の樹脂量を変えることによってインクの流動性が調整される。インク中のバインダー樹脂の樹脂量を変えることによってインク内の着色剤の濃度バラツキが改善される。
【００７１】
反射型表示パネルは、外光を利用した表示媒体としての利用が一般的である。このため、反射型表示パネルのカラーフィルタの色濃度は、外光を多く入射させて明るい表示画面が得られるように、液晶ディスプレイに代表される透過型表示パネルのカラーフィルタの色濃度よりも低いことが好ましい。この結果、反射型表示パネルの色再現域は、透過型表示パネルよりも狭くなりがちである。
【００７２】
インクの着色剤の１質量部に対してバインダー樹脂が９質量部を超えると、必要な色濃度を得るための塗布量が多くなりすぎるおそれがある。さらに、バインダー樹脂が多くなることでインクの粘度が上昇して、インクの流動性が悪くなる。このため、インク液滴で形成されるドットの中心部に着色剤が集まり易くなり、ドットの周辺の色濃度が低下しやすくなって、カラーフィルタ層１７の色むらが生じやすくなる。
【００７３】
インクの着色剤の１質量部に対してバインダー樹脂が１質量部よりも少なくなると、インクに含まれる着色剤が相対的に多くなり、色濃度が大きくなる。このため、インクの溶剤（揮発分）の量を増やして希釈するか、もしくはインク吐出量を少量にしてカラーフィルタ層１７を形成する必要が生じる。
例えば、溶剤を増やすと、インクの流動性が大きくなり、かつ、インク吐出量も多くなる。このため、インク液滴で形成されるドットの中心部よりもドットの周辺に着色剤が集まり易くなり、ドットの中心部の色濃度が低下しやすくなって、カラーフィルタ層１７の色むらが生じやすくなる。
インク吐出量を少量にする場合には、インク液滴によるドット径が小さくなるため、ドット間に隙間が生じやすくなるため、良好なカラーフィルタ層１７が形成しにくくなる。
【００７４】
図１に示すように、保護層１８は、インク定着層１６およびカラーフィルタ層１７を覆うように積層された光透過性を有する層状部である。保護層１８は、カラーフィルタ層１７を覆うことにより、カラーフィルタ層１７を保護する。保護層１８によって、カラーフィルタ層１７が機械的な接触によって損傷したり、汚れが付着したり、吸湿したりすることが防止される。
保護層１８の材質は、例えば、ポリアミド、ポリイミド、ポリウレタン、ポリカーボネート、アクリル系、シリコーン系等の有機樹脂やＳｉ３Ｎ４、ＳｉＯ２、ＳｉＯ、Ａｌ２Ｏ３、Ｔａ２Ｏ３等の無機物などが用いられてもよい。
保護層１８は、カラーフィルタ層１７を形成した後、例えば、スピンコート、ロールコート、印刷法などの塗布法、あるいは蒸着法などにより形成することができる。
【００７５】
次に、本実施形態に係る反射型表示パネル１Ａの作用について、カラーフィルタ層１７の作用を中心として説明する。
図４Ｂは、比較例の反射型表示装置における画素と着色層との位置関係を示す模式的な平面図である。
【００７６】
反射型表示パネル１Ａでは、各画素Ｐにおいて、第１の電極層１１と第２の電極層１４との間に電圧が印加されると、それぞれの第１色用サブ画素電極１１ｒ、第２色用サブ画素電極１１ｇ、および第３色用サブ画素電極１１ｂに印加される電圧に応じて、これら画素電極に対向する部位の反射表示層１３が、適宜の反射率を備える白、グレー、黒の表示に切り替えられる。
【００７７】
例えば、図３には、Ｘ方向に隣り合う画素Ｐ１、Ｐ２において、第２色用サブ画素電極１１ｇに対向する反射表示層１３に黒色部１３Ｂが、第１色用サブ画素電極１１ｒに対向する反射表示層１３の部位に白色部１３Ｗが形成されている場合の例が示されている。
図３は模式図であるため、黒色部１３Ｂ、白色部１３Ｗは層厚の全体に形成されているように描かれているが、黒色部１３Ｂ、白色部１３Ｗは、反射表示層１３の表面１３ａのみ、あるいは、表面１３ａに近い位置のみに形成されていてもよい。
【００７８】
反射型表示パネル１Ａに外部から入射光Ｌが入射すると、第２着色層１７ｇに入射した入射光Ｌは第２色成分のみが第２着色層１７ｇを透過し、さらに光透過層１９を透過して黒色部１３Ｂに到る。この入射光Ｌは黒色部１３Ｂによって吸収される。
これに対して、第１着色層１７ｒに入射した入射光Ｌは、第１色成分のみが第１着色層１７ｒを透過し、さらに光透過層１９を透過して白色部１３Ｗに到る。光透過層１９は、白色光を良好に透過する光透過性を有するため、透過率に応じて光量が減衰するのみで、波長成分はほとんど変化しない。白色部１３Ｗに到達した入射光Ｌは、白色部１３Ｗの反射率に応じて、第１色成分のみからなる反射光Ｌｒとして外部に反射される。
各サブ画素において、着色層と重ならない領域に入射した入射光Ｌは、同様に黒色部１３Ｂで吸収され、白色部１３Ｗで白色の反射光Ｌｎとして外部に反射される。
【００７９】
このように、着色層が重ねられたサブ画素では、サブ画素電極に電圧が印加されると、着色層の色に対応する反射光Ｌｒなどの有彩色の反射光と、無彩色の反射光Ｌｎとが反射される。
反射光において、有彩色の反射光の光量が多くなるほど、彩度が高い鮮やかなカラー表示が得られる。このため、各サブ画素において着色部面積率αが大きい程、表示色の彩度が向上できる。したがって、着色層は隙間δをできるだけ小さくすることが好ましい。しかし、隙間δが小さくなりすぎると、製造上の混色が生じるため、隙間δは許容限度未満にはできない。
本実施形態では、着色層を横断着色層とすることによって着色部面積率αが大きくなるようにしている。この点について、比較例と対比して説明する。
【００８０】
図４Ｂに、比較例として、３原色と無彩色とでフルカラー表示を行う従来技術の反射型表示パネル２０１における画素、各サブ画素と各着色層との関係を示す。
反射型表示パネル２０１の各画素Ｐは、本実施形態の画素Ｐと同様のサブ画素Ｑ１、Ｑ２、Ｑ３、Ｑ４を備える。各画素Ｐにおいて、サブ画素Ｑ１、Ｑ２、Ｑ３と重なるように、それぞれ第１着色層２１７ｒ、第２着色層２１７ｇ、第３着色層２１７ｂが配置されている。各着色層は、（ＷＸ−２・δ）×（ＷＹ−２・δ）の矩形であり、着色層のそれぞれが配置されたサブ画素の外形に対して、それぞれδの隙間をあけて配置されている。
比較例の反射型表示パネル２０１では、このような画素ＰがＸ方句およびＹ方向に２次元的に配置されている。このように画素Ｐに横断着色層がなく、着色層がサブ画素の外形の各辺に対してδだけ離間しているため、着色部面積率βは下記式（２）で表される。
【００８１】
【数２】
2018092877.tif 000004
【００８２】
上記式（２）と上記式（１）とを比較すると、サブ画素のサイズと隙間δとが同一であれば、常に、β＜αになることが分かる。
本実施形態では、画素Ｐ内の各着色層が画素境界横断着色層からなる。このため、着色層が跨ぐ画素（サブ画素）の境界においては隙間が形成されない。これにより、各着色層が配置された各サブ画素における着色部面積率αが比較例の着色部面積率βを上回る。このため、反射型表示パネル１Ａによれば、比較例に比べて、表示色の彩度の低下を低減することができる。この結果、反射型表示パネル１Ａによれば、表示画面の彩度が向上し、色が濃く鮮やかなカラー表示が可能となる。
【００８３】
［第１変形例］
次に、上記第１の実施形態の変形例（第１変形例）の反射型表示装置について説明する。
図５Ａは、本発明の第１の実施形態の変形例（第１変形例）の反射型表示装置の主要部の構成を示す模式的な平面図である。
【００８４】
図５Ａに主要部を示すように、本変形例の反射型表示パネル１Ｂ（反射型表示装置）は、上記第１の実施形態に係る反射型表示パネル１Ａの第１の電極層１１、カラーフィルタ層１７に代えて、第１の電極層２１、カラーフィルタ層２７を備える。
以下、上記第１の実施形態と異なる点を中心に説明する。
【００８５】
第１の電極層２１は、上記第１の実施形態における第１の電極層１１における無彩色用サブ画素電極１１ｎに代えて、有彩色である第４色を表示させるための電圧を印加する第４色用サブ画素電極２１ｙを備える。第４色用サブ画素電極２１ｙは、印加される画像信号の種類が異なる以外は無彩色用サブ画素電極１１ｎと同様に構成される。
【００８６】
カラーフィルタ層２７は、上記第１の実施形態のカラーフィルタ層１７に第４着色層２７ｙ（着色層、横断着色層、画素境界横断着色層）を追加して構成される。
第４着色層２７ｙは、第４色の波長成分のみを透過する透過波長帯域を有する。第４色としては、第１色、第２色、および第３色と波長帯域が異なり、かつこれらの組み合わせによってフルカラー表示が可能であれば特に限定されない。例えば、第４色は、黄であってもよい。
第４着色層２７ｙの平面視形状は、第１着色層１７ｒ、第２着色層１７ｇ、第３着色層１７ｂと同様、Ｘ方向幅が２・（ＷＸ−δ）、Ｙ方向幅が２・（ＷＹ−δ）の矩形である。
第４着色層２７ｙは、上記第１の実施形態における非着色領域１７ｎの中心に第４着色層２７ｙの図心が一致するように配置されている。このため、第４着色層２７ｙが重なる４つのサブ画素の外形をなす辺との間には、それぞれ隙間δが空いている。
【００８７】
本変形例の反射型表示パネル１Ｂは、第１色、第２色、第３色、第４色によってフルカラー表示を行う以外は、上記第１の実施形態と同様にしてフルカラー表示が行える。
本変形例の反射型表示パネル１Ｂによれば、４つの着色層がすべて画素境界横断着色層であるため、上記第１の実施形態と同様に、表示色の彩度の低下を低減することができる。
本変形例は、各画素におけるサブ画素において非着色サブ画素を含まない場合の例になっている。
【００８８】
［第２変形例］
次に、上記第１の実施形態の変形例（第２変形例）の反射型表示装置について説明する。
図５Ｂは、本発明の第１の実施形態の変形例（第２変形例）の反射型表示装置の主要部の構成を示す模式的な平面図である。
【００８９】
図５Ｂに主要部を示すように、本変形例の反射型表示パネル１Ｂ’（反射型表示装置）は、上記第１の実施形態に係る反射型表示パネル１Ａと同様に、第１着色層１７ｒ、第２着色層１７ｇ、第３着色層１７ｂ、および非着色領域１７ｎを備えるが、これら着色層及び非着色領域の配置の点で、上記第１の実施形態に係る反射型表示パネル１Ａとは異なる。
以下、上記第１の実施形態と異なる点を中心に説明する。
【００９０】
第１の実施形態においては、第１着色層１７ｒ、第２着色層１７ｇ、第３着色層１７ｂ、および非着色領域１７ｎによって一つのカラーフィルタユニットが構成され、複数のカラーフィルタユニットがインク定着層１６と保護層１８との間に設けられている。特に、図２に示す例では、一つのカラーフィルタユニットは、右上部分に位置する第１着色層１７ｒと、右下部分に位置する非着色領域１７ｎと、左上部分に位置する第２着色層１７ｇと、左下部分に位置する第３着色層１７ｂとを備える。そして、このように構成された複数のカラーフィルタユニットは、Ｘ方向及びＹ方向に規則的に並んでいる。
【００９１】
これに対し、本変形例の反射型表示パネル１Ｂ’は、１種類かつ複数のカラーフィルタユニットがＸ方向及びＹ方向に規則的に並ぶ構成とは異なり、複数の第１のカラーフィルタユニットＣＦ１がＸ方向（第１の配列方向）に沿って並ぶ複数の第１列Ｒ１と、複数の第２のカラーフィルタユニットＣＦ２がＸ方向に沿って並ぶ複数の第２列Ｒ２とを備える。複数の第１列Ｒ１及び複数の第２列Ｒ２は、Ｙ方向（第２の配列方向）に沿って隣接するように互い違いに並んでいる。換言すると、Ｙ方向において、２つの第１列Ｒ１の間に第２列Ｒ２が位置し、２つの第２列Ｒ２の間に第１列Ｒ１が位置している。
【００９２】
第１列Ｒ１に並ぶ複数の第１のカラーフィルタユニットＣＦ１のそれぞれは、右上部分に位置する第２着色層１７ｇと、右下部分に位置する第３着色層１７ｂと、左上部分に位置する第１着色層１７ｒと、左下部分に位置する非着色領域１７ｎとを備える。
第２列Ｒ２に並ぶ複数の第２のカラーフィルタユニットＣＦ２のそれぞれは、右上部分に位置する第１着色層１７ｒと、右下部分に位置する非着色領域１７ｎと、左上部分に位置する第２着色層１７ｇと、左下部分に位置する第３着色層１７ｂとを備える。
【００９３】
また、別の視点から見れば、図５Ｂの矢印Ａが示すように、第１着色層１７ｒ、第２着色層１７ｇ、及び第３着色層１７ｂ（第１のカラーフィルタユニットＣＦ１に対応する着色層）は、Ｙ方向に１列分だけ移動（第１列Ｒ１から第２列Ｒ２に移動）するとともにＸ方向に一画素分だけ右にずらした位置にも配置されている。
また、矢印Ｂが示すように、第１着色層１７ｒ、第２着色層１７ｇ、及び第３着色層１７ｂは、Ｙ方向に１列分だけ移動（第２列Ｒ２から第３列Ｒ１に移動）するとともにＸ方向に一画素分だけ左にずらした位置（第１のカラーフィルタユニットＣＦ１）にも配置されている。
即ち、各着色領域は、Ｙ方向に沿って１列おきに、Ｘ方向に１画素分ずらして、Ｙ方向に沿ってジグザグ状に配置されている。
【００９４】
本変形例によれば、第１の実施形態よりも、優れた画像表示を得ることができる。具体的に、上述した第１の実施形態の場合、例えば、赤色を表示する際、第２着色層１７ｇ、第３着色層１７ｂ、及び非着色領域１７ｎに対応する画素を黒表示とし、第１着色層１７ｒに対応する画素を白表示にして、赤色を表示している。しかしながら、図２に示す着色層の配置の場合、第２着色層１７ｇ及び第３着色層１７ｂが形成されている縦ライン（２ライン分）が全て黒色表示になってしまい、表示された画像に黒色の縦ライン（色ムラ）が発現され、画質の低下を招いてしまう。
これに対し、本変形例によれば、第１列Ｒ１における第２着色層１７ｇ及び第３着色層１７ｂと、第２列Ｒ２における第１着色層１７ｒ及び非着色領域１７ｎとが互い違いにＹ方向に並んでいる（ジグザグパターン）。このため、縦ラインが全て黒色表示にならず、第１の実施形態において生じうる問題を解決することができる。
なお、本変形例における着色部面積率及び色指標のＮＴＳＣ比の値は、第１の実施形態と同じ値を示す。
【００９５】
［第２の実施形態］
次に、本発明の第２の実施形態に係る反射型表示装置について説明する。
図６は、本発明の第２の実施形態に係る反射型表示装置の主要部の構成を示す模式的な平面図である。
【００９６】
図６に主要部を示すように、本実施形態に係る反射型表示パネル１Ｃ（反射型表示装置）は、上記第１の実施形態に係る反射型表示パネル１Ａの第１の電極層１１、カラーフィルタ層１７に代えて、第１の電極層３１、カラーフィルタ層３７を備える。
以下、上記第１の実施形態と異なる点を中心に説明する。
【００９７】
第１の電極層３１は、後述するカラーフィルタ層３７における着色層の配置パターンに応じて、各サブ画素電極の配置パターンが異なる以外は、上記第１の実施形態における第１の電極層１１と同様に構成される。
例えば、画素Ｐ１では、サブ画素Ｑ１、Ｑ２、Ｑ３、Ｑ４に対向して、それぞれ第２色用サブ画素電極１１ｇ、無彩色用サブ画素電極１１ｎ、第１色用サブ画素電極１１ｒ、第３色用サブ画素電極１１ｂが配置されている。
画素Ｐ４における各サブ画素電極の配置パターンは、画素Ｐ１における配置パターンをＹ方向において反転したパターンである。
画素Ｐ２（Ｐ３）における各サブ画素電極の配置パターンは、画素Ｐ４（Ｐ１）における配置パターンと同じである。
【００９８】
カラーフィルタ層３７は、上記第１の実施形態のカラーフィルタ層１７の第１着色層１７ｒ、第２着色層１７ｇ、第３着色層１７ｂに代えて、第１着色層３７ｒ、第２着色層３７ｇ、第３着色層３７ｂ（着色層、横断着色層、画素境界横断着色層）を備える。
以下では、説明を簡単にするため、第１着色層３７ｒ、第２着色層３７ｇ、および第３着色層３７ｂを総称する場合、「本実施形態における各着色層」あるいは単に「各着色層」と表記する場合がある。
第１着色層３７ｒ（第２着色層３７ｇ、第３着色層３７ｂ）は、平面視形状がＹ方向に長い矩形である点と、配置位置が異なる点とを除いて、上記第１の実施形態における第１着色層１７ｒ（第２着色層１７ｇ、第３着色層１７ｂ）と同様に構成される。
各着色層のＸ方向幅はＷＸ−２・δ、Ｙ方向幅は２・（ＷＹ−δ）である。
【００９９】
カラーフィルタ層３７は、Ｘ方向においては、第２着色層１７ｇ、第１着色層１７ｒ、第３着色層１７ｂがピッチＷＸでこの順に配置され、さらにこの３つの着色層からなる繰り返し単位の着色層群がピッチ４・ＷＸで配列されている。このため、各着色層群の間には、Ｘ方向幅がＷＸの非着色領域３７ｎが形成されている。
このようなＸ方向の配列は、Ｘ方向に２・ＷＸずつずれた状態で、Ｙ方向にピッチ２・ＷＹで反復されている。このため、Ｙ方向においては、第２着色層３７ｇと第３着色層３７ｂとがピッチ２・ＷＹで交互に現れる第１の列と、第１着色層３７ｒと非着色領域３７ｎとがピッチ２・ＷＹで交互に現れる第２の列とが形成されている。第１の列と第２の列とは、Ｘ方向において交互に現れる。
【０１００】
着色層とサブ画素との関係では、各着色層は、Ｙ方向において互いに隣り合う２つのサブ画素の外形の辺から隙間δをあけて、２つのサブ画素と重なるように配置されている。
例えば、画素Ｐ１のサブ画素Ｑ３と、繰り返し単位Ｕ内の画素Ｐ４のサブ画素Ｑ２とには、第１着色層３７ｒが重なっている。
例えば、画素Ｐ１のサブ画素Ｑ４と、繰り返し単位Ｕ内の画素Ｐ４のサブ画素Ｑ１とには、第３着色層３７ｂが重なっている。
これら第１着色層３７ｒ、第３着色層３７ｂは、画素Ｐ１において繰り返し単位Ｕ内の画素Ｐ４との境界をなす辺Ｓ４を横断する画素境界横断着色層になっている。
例えば、画素Ｐ１のサブ画素Ｑ１と、繰り返し単位Ｕに対して図６が示す上側部分に隣接する画素Ｐ４のサブ画素Ｑ４とには、第２着色層３７ｇが重なっている。
第２着色層３７ｇは、画素Ｐ１において繰り返し単位Ｕに対して図６が示す上側部分に隣接する画素Ｐ４との境界をなす辺Ｓ２を横断する画素境界横断着色層になっている。
すなわち、本実施形態における各着色層は、２つの画素に重なる画素境界横断着色層からなる。
非着色領域３７ｎが形成されたサブ画素は非着色サブ画素になっている。
【０１０１】
このような着色層に配置により、画素Ｐ１内における第１着色層３７ｒ、第２着色層３７ｇ、第３着色層３７ｂ、および非着色領域３７ｎは、それぞれ、第１色用サブ画素電極１１ｒ、第２色用サブ画素電極１１ｇ、第３色用サブ画素電極１１ｂ、および無彩色用サブ画素電極１１ｎによって駆動されるサブ画素Ｑ３、Ｑ１、Ｑ４、Ｑ２に重なっている。
同様に、画素Ｐ２、Ｐ３、Ｐ４内における第１着色層３７ｒ、第２着色層３７ｇ、第３着色層３７ｂも、それぞれ、第１色用サブ画素電極１１ｒ、第２色用サブ画素電極１１ｇ、第３色用サブ画素電極１１ｂ、および無彩色用サブ画素電極１１ｎによって駆動される各サブ画素に重なっている。
【０１０２】
本実施形態に係る反射型表示パネル１Ｃは、各着色層が２つの画素に重なる画素境界横断着色層からなる以外は、上記第１の実施形態と同様にしてフルカラー表示が行える。
各着色層が配置された各サブ画素における着色部面積率γは下記式（３）で表される。
【０１０３】
【数３】
2018092877.tif 000005
【０１０４】
サブ画素のサイズと隙間δとが同一であればβ＜γの関係が成り立つ。このため、反射型表示パネル１Ｃによれば、第１の実施形態において上述した比較例に比べて、表示色の彩度の低下を低減することができる。
【０１０５】
［第３変形例］
次に、本発明の第２の実施形態の変形例（第３変形例）の反射型表示装置について説明する。
図７は、本発明の第２の実施形態の変形例（第３変形例）の反射型表示装置の主要部の構成を示す模式的な平面図である。
【０１０６】
図７に主要部を示すように、本変形例の反射型表示パネル１Ｄ（反射型表示装置）は、上記第２の実施形態に係る反射型表示パネル１Ｃの第１の電極層３１、カラーフィルタ層３７に代えて、第１の電極層４１、カラーフィルタ層４７を備える。
以下、上記第２の実施形態と異なる点を中心に説明する。
【０１０７】
第１の電極層４１は、後述するカラーフィルタ層３７における着色層の配置パターンに応じて、各サブ画素電極の配置パターンが異なる以外は、上記第２の実施形態における第１の電極層３１と同様に構成される。
例えば、画素Ｐ１では、サブ画素Ｑ１、Ｑ２、Ｑ３、Ｑ４に対向して、それぞれ無彩色用サブ画素電極１１ｎ、第３色用サブ画素電極１１ｂ、第２色用サブ画素電極１１ｇ、第１色用サブ画素電極１１ｒが配置されている。
画素Ｐ２、Ｐ４における各サブ画素電極の配置パターンは、画素Ｐ１における配置パターンを図７において反時計回りに９０°回転したパターンに相当する。すなわち画素Ｐ２、Ｐ４では、サブ画素Ｑ２、Ｑ３、Ｑ４、Ｑ１に対向して、それぞれ無彩色用サブ画素電極１１ｎ、第３色用サブ画素電極１１ｂ、第２色用サブ画素電極１１ｇ、第１色用サブ画素電極１１ｒが配置されている。
画素Ｐ３における各サブ画素電極の配置パターンは、画素Ｐ１における配置パターンと同じである。
【０１０８】
カラーフィルタ層４７は、上記第２の実施形態のカラーフィルタ層３７の第２着色層３７ｇに代えて、第２着色層４７ｇ（着色層、横断着色層、画素境界横断着色層）を備える。
以下では、説明を簡単にするため、第１着色層３７ｒ、第２着色層４７ｇ、および第３着色層３７ｂを総称する場合、「本変形例における各着色層」あるいは単に「各着色層」と表記する場合がある。
第２着色層４７ｇは、平面視形状がＸ方向に長い矩形である。第２着色層４７ｇのＸ方向幅は２・（ＷＸ−δ）、Ｙ方向幅はＷＹ−２・δである。
第２着色層４７ｇは、上記第２の実施形態における第２着色層３７ｇを９０°回転して、Ｘ方向に隣接する図７が示す上側部分に位置する２つのサブ画素に重なるように配置したような位置関係に配置されている。
第２着色層４７ｇは、このような平面視形状と配置位置とを有する点とを除いて、上記第２の実施形態における第２着色層３７ｇと同様に構成される。
第２着色層４７ｇが重ねられた２つのサブ画素のＹ方向（図７が示す下側部分）に隣り合う２つのサブ画素は、着色層が重ねられていない非着色領域４７ｎを構成する。
【０１０９】
カラーフィルタ層４７では、Ｘ方向においては、第２着色層４７ｇ、第１着色層３７ｒ、第３着色層３７ｂがこの順に配置され、さらにこの３つの着色層からなる着色層の繰り返し単位がピッチ４・ＷＸで配置されている。
このようなＸ方向の配列は、Ｘ方向に２・ＷＸずつずれた状態で、Ｙ方向にピッチ２・ＷＹで反復されている。
Ｙ方向においては、第１着色層３７ｒおよび第３着色層３７ｂのＹ方向側に、第２着色層４７ｇ、非着色領域４７ｎがこの順に配置された配列が、Ｙ方向に延びる各列で反復されている。
【０１１０】
サブ画素と着色層との関係では、第１着色層３７ｇおよび第３着色層３７ｂは、上記第２の実施形態と同様、Ｙ方向において互いに隣り合う２つのサブ画素の外形の辺から隙間δをあけて、２つのサブ画素と重なるように配置されている。
第２着色層４７ｇは、Ｘ方向において互いに隣り合う２つのサブ画素の外形の辺から隙間δをあけて、２つのサブ画素と重なるように配置されている。
本変形例では、例えば、画素Ｐ１のサブ画素Ｑ４と、繰り返し単位Ｕ内の画素Ｐ４のサブ画素Ｑ１とには、第１着色層３７ｒが重なっている。
本変形例における第１着色層３７ｒは、画素Ｐ１において繰り返し単位Ｕ内の画素Ｐ４との境界をなす辺Ｓ４を横断する横断着色層になっている。
例えば、画素Ｐ１のサブ画素Ｑ３と、繰り返し単位Ｕ内の画素Ｐ２のサブ画素Ｑ４とには、第２着色層４７ｇが重なっている。
第２着色層４７ｇは、画素Ｐ１において繰り返し単位Ｕ内の画素Ｐ２との境界をなす辺Ｓ３を横断する横断着色層になっている。
例えば、画素Ｐ１のサブ画素Ｑ２と、繰り返し単位Ｕに対して図７が示す上側部分に隣接する画素Ｐ４のサブ画素Ｑ３とには、第３着色層３７ｂが重なっている。
本変形例における第３着色層３７ｂは、画素Ｐ１において繰り返し単位Ｕに隣接する画素Ｐ４との境界をなす辺Ｓ２を横断する横断着色層になっている。
すなわち、本変形例における各着色層は、２つの画素に重なる画素境界横断着色層からなる。
非着色領域４７ｎが形成されたサブ画素は非着色サブ画素になっている。
【０１１１】
このような着色層に配置により、画素Ｐ１内における第１着色層３７ｒ、第２着色層４７ｇ、第３着色層３７ｂ、および非着色領域４７ｎは、それぞれ、第１色用サブ画素電極１１ｒ、第２色用サブ画素電極１１ｇ、第３色用サブ画素電極１１ｂ、および無彩色用サブ画素電極１１ｎによって駆動されるサブ画素Ｑ４、Ｑ３、Ｑ２、Ｑ１に重なっている。
同様に、画素Ｐ２、Ｐ３、Ｐ４内における第１着色層３７ｒ、第２着色層４７ｇ、第３着色層３７ｂ、および非着色領域４７ｎも、それぞれ、第１色用サブ画素電極１１ｒ、第２色用サブ画素電極１１ｇ、第３色用サブ画素電極１１ｂ、および無彩色用サブ画素電極１１ｎによって駆動される各サブ画素に重なっている。
【０１１２】
本変形例の反射型表示パネル１Ｄは、第１着色層３７ｒおよび第３着色層３７ｂと、第２着色層４７ｇとの延在方向が異なる以外は、上記第２の実施形態と同様にしてフルカラー表示が行える。
ただし、第２着色層４７ｇが配置されたサブ画素における着色部面積率ηは下記式（４）で表される。
【０１１３】
【数４】
2018092877.tif 000006
【０１１４】
サブ画素のサイズと隙間δとが同一であればβ＜γおよびβ＜ηの関係が成り立つ。このため、反射型表示パネル１Ｄによれば、第１の実施形態において上述した比較例に比べて、表示色の彩度の低下を低減することができる。
【０１１５】
［第３の実施形態］
次に、本発明の第３の実施形態に係る反射型表示装置について説明する。
図８は、本発明の第３の実施形態に係る反射型表示装置の主要部の構成を示す模式的な平面図である。
【０１１６】
図８に主要部を示すように、本実施形態に係る反射型表示パネル１Ｅ（反射型表示装置）は、上記第１の実施形態に係る反射型表示パネル１Ａの第１の電極層１１、カラーフィルタ層１７に代えて、第１の電極層５１、カラーフィルタ層５７を備える。
以下、上記第１の実施形態と異なる点を中心に説明する。
【０１１７】
第１の電極層５１は、上記第１の実施形態における第１色用サブ画素電極１１ｒ、第２色用サブ画素電極１１ｇ、第３色用サブ画素電極１１ｂ、および無彩色用サブ画素電極１１ｎに代えて、第１色用サブ画素電極５１ｒ、第２色用サブ画素電極５１ｇ、第３色用サブ画素電極５１ｂ、および無彩色用サブ画素電極５１ｎを備える。
以下では、説明を簡単にするため、第１色用サブ画素電極５１ｒ、第２色用サブ画素電極５１ｇ、第３色用サブ画素電極５１ｂ、無彩色用サブ画素電極５１ｎを総称する場合、「本実施形態における各サブ画素電極」あるいは単に「各サブ画素電極」と表記する場合がある。
本実施形態における各サブ画素電極は、上記第１の実施形態における各サブ画素電極と平面視の形状および配置位置が異なる。
【０１１８】
本実施形態における各サブ画素電極の平面視の外形は、いずれも二等辺三角形である。
各サブ画素電極は、画素Ｐを対角線で４つに分割したときの各々の二等辺三角形と略同じ形状を有する。このため、各サブ画素電極の面積は均等である。ただし、画素Ｐの外形が正方形でない場合には、サブ画素電極の底辺の長さおよび底辺からの高さが異なる。
各サブ画素電極の平面視形状は、例えばスイッチング素子の配置位置などによっては、二等辺三角形の一部に凹部または凸部が形成された疑似的な二等辺三角形であってもよい。
【０１１９】
各サブ画素電極は、上記第１の実施形態の各サブ画素電極と同様に、サブ画素電極のそれぞれが対向する反射表示層１３の部位に電圧を印加することによって、反射表示層１３のそれぞれの部位の反射率を変えることができる。
各サブ画素電極は、反射表示層１３を、反射率が変更可能な駆動単位であるサブ画素に分割している。
本実施形態におけるサブ画素は、各サブ画素電極が各画素の対角線による分割形状に沿う二等辺三角形であることに対応して、反射表示層１３の表面１３ａを２次元パターンに区画する。この２次元パターンは、Ｘ方向およびＹ方向に沿う矩形格子状に配置された画素Ｐの内側がさらに各画素Ｐの各対角線によってＸ字状に４分割された繰り返しパターンである。
【０１２０】
以下では、各画素Ｐにおける各サブ画素を、サブ画素Ｔ１、Ｔ２、Ｔ３、Ｔ４（図８に示された細かい破線を参照）と表記する。各画素Ｐにおける各サブ画素の相対的な位置関係はすべて同一である。ただし、図８では、説明を簡単にするため、画素Ｐ１のサブ画素のみ符号を記載している。
各画素Ｐにおけるサブ画素Ｔ３、Ｔ１は、画素ＰのＹ方向に延びる辺Ｓ３、Ｓ１を底辺とする。サブ画素Ｔ３、Ｔ１は、Ｘ方向においてこの順に隣り合っている。
各画素Ｐにおけるサブ画素Ｔ２、Ｔ４は、画素ＰのＸ方向に延びる辺Ｓ２、Ｓ４を底辺とする。サブ画素Ｔ２、Ｔ４は、Ｙ方向においてこの順に隣り合っている。
サブ画素Ｔ１、Ｔ２、Ｔ３、Ｔ４は、図８において画素Ｐの中心に関する反時計回りにこの順に配置されている。
【０１２１】
サブ画素Ｔ１、Ｔ２、Ｔ３、Ｔ４に対向する各サブ画素電極の種類は、画素Ｐによって異なる。
例えば、図８における画素Ｐ１では、サブ画素Ｔ１、Ｔ２、Ｔ３、Ｔ４は、それぞれ第２色用サブ画素電極５１ｇ、第３色用サブ画素電極５１ｂ、無彩色用サブ画素電極５１ｎ、第１色用サブ画素電極５１ｒと対向している。
図８においては他の画素Ｐにおける各サブ画素電極の符号が省略されているが、各サブ画素と各サブ画素電極との対応は以下の通りである。
画素Ｐ２では、サブ画素Ｔ１、Ｔ２、Ｔ３、Ｔ４は、それぞれ無彩色用サブ画素電極５１ｎ、第１色用サブ画素電極５１ｒ、第２色用サブ画素電極５１ｇ、第３色用サブ画素電極５１ｂと対向している。画素Ｐ２における各サブ画素電極の配置パターンは、画素Ｐ１における配置パターンをＸ方向およびＹ方向において反転したパターンである。
画素Ｐ３における各サブ画素の配列パターンは画素Ｐ１と同じパターンである。
画素Ｐ４における各サブ画素の配列パターンは画素Ｐ２と同じパターンである。
【０１２２】
本実施形態における反射表示層１３においても、上記第１の実施形態と同様、画素Ｐ１、Ｐ２、Ｐ３、Ｐ４は、Ｘ方向およびＹ方向における繰り返し単位Ｕを構成している。繰り返し単位Ｕの平面視の外形は、および各画素Ｐの外形は、上記第１の実施形態と同様である。
【０１２３】
カラーフィルタ層５７は、上記第１の実施形態のカラーフィルタ層１７の第１着色層１７ｒ、第２着色層１７ｇ、第３着色層１７ｂに代えて、第１着色層５７ｒ、第２着色層５７ｇ、第３着色層５７ｂ（着色層、横断、画素境界横断着色層）を備える。
以下では、説明を簡単にするため、第１着色層５７ｒ、第２着色層５７ｇ、および第３着色層５７ｂを総称する場合、「本実施形態における各着色層」あるいは単に「各着色層」と表記する場合がある。
第１着色層５７ｒ（第２着色層５７ｇ、第３着色層５７ｂ）は、配列方向と平面視形状とが異なる点とを除いて、上記第１の実施形態における第１着色層１７ｒ（第２着色層１７ｇ、第３着色層１７ｂ）と同様に構成される。
【０１２４】
第１着色層５７ｒ（第２着色層５７ｇ、第３着色層５７ｂ）の配列方向は、Ｘ方向を図８において時計回りにθ１回転したｘ方向（第１の配列方向）と、Ｙ方向を図８において時計回りにθ２回転したｙ方向（第２の配列方向）との２方向である。ここで、角度θ１は、画素Ｐの辺Ｓ２、Ｓ３が交わる頂点Ｖ１と、辺Ｓ１、Ｓ４とが交わる頂点Ｖ２とを結ぶ対角線と辺Ｓ２とがなす角度である。θ２はθ１の余角である（θ２＝９０°−θ１）。
このため、ｘ方向およびｙ方向は、それぞれ画素Ｐの対角方向である。
各着色層の平面視形状は菱形である。
【０１２５】
第１着色層５７ｒ（第２着色層５７ｇ、第３着色層５７ｂ）のｘ方向（ｙ方向）における配列パターンは、上記第１の実施形態における第１着色層１７ｒ（第２着色層１７ｇ、第３着色層１７ｂ）のＸ方向（Ｙ方向）における配列パターンと同じである。
ただし配列ピッチは、いずれの方向においてもピッチ２・ｗである。ここで、ｗは、画素Ｐの対角線の長さの半分であり、下記式（５）で表される。
【０１２６】
【数５】
2018092877.tif 000007
【０１２７】
ｘ方向において２つのサブ画素を挟んで隣り合う第１着色層５７ｒの間と、ｙ方向において２つのサブ画素を挟んで隣り合う第３着色層５７ｂの間とには、着色層が形成されていない非着色領域５７ｎが形成されている。
【０１２８】
着色層とサブ画素との関係では、各着色層は、底辺で接する２つのサブ画素を横断してこれらのサブ画素と重なるように配置されている。各着色層は、これらのサブ画素の各等辺から隙間δをあけた位置に配置されている。
例えば、画素Ｐ１のサブ画素Ｔ４と、繰り返し単位Ｕ内の画素Ｐ４のサブ画素Ｔ２とには、第１着色層５７ｒが重なっている。
例えば、画素Ｐ１のサブ画素Ｔ１と、繰り返し単位Ｕの図８が示す右側部分に位置する画素Ｐ２のサブ画素Ｔ３とには、第２着色層５７ｇが重なっている。
例えば、画素Ｐ１のサブ画素Ｔ２と、繰り返し単位Ｕの図８が示す上側部分に位置する画素Ｐ４のサブ画素Ｔ４とには、第３着色層５７ｂが重なっている。
第１着色層５７ｒ、第２着色層５７ｇ、第３着色層５７ｂは、それぞれ画素Ｐ１の辺Ｓ４、Ｓ１、Ｓ２を横断する横断着色層になっている。
すなわち、本実施形態における各着色層は、２つの画素に重なる横断着色層からなる。
非着色領域５７ｎが形成されたサブ画素は非着色サブ画素になっている。
【０１２９】
このような着色層の配置により、画素Ｐ１内における第１着色層５７ｒ、第２着色層５７ｇ、第３着色層５７ｂ、および非着色領域５７ｎは、それぞれ、第１色用サブ画素電極５１ｒ、第２色用サブ画素電極５１ｇ、第３色用サブ画素電極５１ｂ、および無彩色用サブ画素電極５１ｎによって駆動されるサブ画素Ｔ４、Ｔ１、Ｔ２、Ｔ３に重なっている。
同様に、画素Ｐ２、Ｐ３、Ｐ４内における第１着色層５７ｒ、第２着色層５７ｇ、第３着色層５７ｂも、それぞれ、第１色用サブ画素電極５１ｒ、第２色用サブ画素電極５１ｇ、第３色用サブ画素電極５１ｂ、および無彩色用サブ画素電極５１ｎによって駆動される各サブ画素に重なっている。
【０１３０】
本実施形態に係る反射型表示パネル１Ｅは、各着色層が２つの画素に重なる画素境界横断着色層からなる以外は、上記第１の実施形態と同様にしてフルカラー表示が行える。
【０１３１】
本実施形態に係る反射型表示パネル１Ｅでは、各着色層がそれぞれ２つのサブ画素に重なる画素境界横断着色層であるため、横断着色層を含まない場合に比べて着色部面積率が高くなる。このため、反射型表示パネル１Ｅによれば、横断着色層を含まない場合に比べて表示色の彩度の低下を低減することができる。
【０１３２】
［第４の実施形態］
次に、本発明の第４の実施形態に係る反射型表示装置について説明する。
図９は、本発明の第４の実施形態に係る反射型表示装置の主要部の構成を示す模式的な平面図である。
【０１３３】
図９に主要部を示すように、本実施形態に係る反射型表示パネル１Ｆ（反射型表示装置）は、上記第１の実施形態に係る反射型表示パネル１Ａの第１の電極層１１に代えて、第１の電極層６１を備える。
ただし、反射型表示パネル１Ｆは、画素Ｐに代えて、フルカラー表示の表示単位である画素ｐを備える。各画素ｐは正方形を含む菱形とされている。各画素ｐは、Ｘ方向およびＹ方向に対して斜めの２方向に配列されて、反射表示層１３の表面１３ａを２次元的に区画している。
画素ｐの配列方向は特に限定されないが、以下では、上記第３の実施形態におけるｘ方向およびｙ方向と同様の方向であるとして説明する。
以下、上記第１の実施形態と異なる点を中心に説明する。
【０１３４】
画素ｐの外形は、上記第１の実施形態における画素Ｐの対角線に沿う菱形である。画素ｐの各辺の長さｚは、下記式（６）で表される。
【０１３５】
【数６】
2018092877.tif 000008
【０１３６】
４つの画素ｐ１、ｐ２、ｐ３、ｐ４は、繰り返し単位ｕを構成している。画素ｐ２は画素ｐ１に対してｙ方向に隣り合っている。画素ｐ３は、画素ｐ２に対してｘ方向に隣り合っている。画素ｐ４は、画素ｐ３（ｐ１）に対してｙ方向と反対方向（ｘ方向）に隣り合っている。
【０１３７】
第１の電極層６１は、上記第１の実施形態における第１色用サブ画素電極１１ｒ、第２色用サブ画素電極１１ｇ、第３色用サブ画素電極１１ｂ、および無彩色用サブ画素電極１１ｎに代えて、第１色用サブ画素電極６１ｒ、第２色用サブ画素電極６１ｇ、第３色用サブ画素電極６１ｂ、および無彩色用サブ画素電極６１ｎを備える。
以下では、説明を簡単にするため、第１色用サブ画素電極６１ｒ、第２色用サブ画素電極６１ｇ、第３色用サブ画素電極６１ｂ、無彩色用サブ画素電極６１ｎを総称する場合、「本実施形態における各サブ画素電極」あるいは単に「各サブ画素電極」と表記する場合がある。
本実施形態における各サブ画素電極は、上記第１の実施形態における各サブ画素電極と平面視の形状および配置位置が異なる。
非着色領域１７ｎが形成されたサブ画素は非着色サブ画素になっている。
【０１３８】
本実施形態における各サブ画素電極の平面視の外形は、いずれも直角三角形である。各サブ画素電極は、画素ｐを対角線で４つに分割したときの各々の直角三角形と略同じ形状を有する。このため、各サブ画素電極の面積は均等である。
各サブ画素電極の平面視形状は、例えばスイッチング素子の配置位置などによっては、直角三角形の一部に凹部または凸部が形成された疑似的な直角三角形であってもよい。
【０１３９】
各サブ画素電極は、上記第１の実施形態の各サブ画素電極と同様に、サブ画素電極のそれぞれが対向する反射表示層１３の部位に電圧を印加することによって、反射表示層１３のそれぞれの部位の反射率を変えることができる。
各サブ画素電極は、反射表示層１３を、反射率が変更可能な駆動単位であるサブ画素に分割している。
本実施形態におけるサブ画素は、各サブ画素電極が各画素の対角線による分割形状に沿う直角三角形であることに対応して、反射表示層１３の表面１３ａを２次元パターンに区画する。この２次元パターンは、画素ｐの内側がさらに各画素ｐの各対角線によって十字状に４分割された繰り返しパターンである。
【０１４０】
以下では、各画素ｐにおける各サブ画素を、サブ画素ｔ１、ｔ２、ｔ３、ｔ４（図９に示された細かい破線を参照）と表記する。各画素ｐにおける各サブ画素の相対的な位置関係はすべて同一である。ただし、図９では、説明を簡単にするため、画素ｐ１のサブ画素のみ符号を記載している。
各画素ｐにおけるサブ画素ｔ１、ｔ３は、画素ｐのｘ方向に延びる辺ｓ１、ｓ３を底辺とする。サブ画素ｔ１、ｔ３は、ｙ方向においてこの順に隣り合っている。
各画素ｐにおけるサブ画素ｔ２、ｔ４は、画素ｐのｙ方向に延びる辺ｓ２、ｓ４を底辺とする。サブ画素ｔ２、ｔ４は、ｘ方向においてこの順に隣り合っている。
サブ画素ｔ１、ｔ２、ｔ３、ｔ４は、図９において画素ｐの中心に関する反時計回りにこの順に配置されている。
【０１４１】
サブ画素ｔ１、ｔ２、ｔ３、ｔ４に対向する各サブ画素電極の種類は、画素ｐによって異なる。
例えば、図９における画素ｐ１では、サブ画素ｔ１、ｔ２、ｔ３、ｔ４は、それぞれ第２色用サブ画素電極６１ｇ、第１色用サブ画素電極６１ｒ、無彩色用サブ画素電極６１ｎ、第３色用サブ画素電極６１ｂと対向している。
図９においては他の画素ｐにおける各サブ画素電極の符号が省略されているが、各サブ画素と各サブ画素電極との対応は以下の通りである。
画素ｐ２では、サブ画素ｔ１、ｔ２、ｔ３、ｔ４は、それぞれ無彩色用サブ画素電極６１ｎ、第３色用サブ画素電極６１ｂ、第２色用サブ画素電極６１ｇ、第１色用サブ画素電極６１ｒと対向している。画素ｐ２における各サブ画素電極の配置パターンは、画素Ｐ１における配置パターンをＸ方向およびＹ方向において反転したパターンである。
画素ｐ３における各サブ画素の配列パターンは画素ｐ１と同じパターンである。
画素ｐ４における各サブ画素の配列パターンは画素ｐ２と同じパターンである。
【０１４２】
このような第１の電極層６１の構成により、本実施形態におけるカラーフィルタ層６７の各着色層は、底辺で接する２つのサブ画素を横断してこれらのサブ画素と重なるように配置されている。各着色層は、これらのサブ画素の各等辺から隙間δをあけた位置に配置されている。
例えば、画素ｐ１のサブ画素ｔ４と、繰り返し単位ｕ内の画素ｐ４のサブ画素ｔ２とには、第３着色層１７ｂが重なっている。
例えば、画素ｐ１のサブ画素ｔ１と、繰り返し単位ｕの図９に示された斜め右上の画素ｐ２のサブ画素ｔ３とには、第２着色層１７ｇが重なっている。
例えば、画素ｐ１のサブ画素ｔ２と、繰り返し単位ｕの図９に示された斜め左上の画素ｐ４のサブ画素ｔ４とには、第１着色層１７ｒが重なっている。
第１着色層１７ｒ、第２着色層１７ｇ、第３着色層１７ｂは、それぞれ画素ｐ１の辺ｓ２、ｓ１、ｓ４を横断する画素境界横断着色層になっている。
すなわち、本実施形態における各着色層は、２つの画素に重なる画素境界横断着色層からなる。
【０１４３】
このような着色層の配置により、画素ｐ１内における第１着色層１７ｒ、第２着色層１７ｇ、第３着色層１７ｂ、および非着色領域１７ｎは、それぞれ、第１色用サブ画素電極６１ｒ、第２色用サブ画素電極６１ｇ、第３色用サブ画素電極６１ｂ、および無彩色用サブ画素電極６１ｎによって駆動されるサブ画素ｔ２、ｔ１、ｔ４、ｔ３に重なっている。
同様に、画素ｐ２、ｐ３、ｐ４内における第１着色層１７ｒ、第２着色層１７ｇ、第３着色層１７ｂも、それぞれ、第１色用サブ画素電極６１ｒ、第２色用サブ画素電極６１ｇ、第３色用サブ画素電極６１ｂ、および無彩色用サブ画素電極６１ｎによって駆動される各サブ画素に重なっている。
【０１４４】
本実施形態に係る反射型表示パネル１Ｆは、各着色層が２つの画素に重なる画素境界横断着色層からなる以外は、上記第１の実施形態と同様にしてフルカラー表示が行える。
【０１４５】
本実施形態に係る反射型表示パネル１Ｆでは、各着色層がそれぞれ２つのサブ画素に重なる画素境界横断着色層であるため、横断着色層を含まない場合に比べて着色部面積率が高くなる。このため、反射型表示パネル１Ｆによれば、横断着色層を含まない場合に比べて表示色の彩度の低下を低減することができる。
本実施形態における平面視における各画素、各着色層、各サブ画素、および各サブ画素電極の間の相対的な位置関係は、上記第３の実施形態におけるそれぞれの位置関係を図８において時計回りに４５°回転してから左右方向において反転した場合に相当する。
【０１４６】
［第５の実施形態］
次に、本発明の第５の実施形態に係る反射型表示装置について説明する。
図１０は、本発明の第５の実施形態に係る反射型表示装置の主要部の構成を示す模式的な平面図である。
【０１４７】
図１０に主要部を示すように、本実施形態に係る反射型表示パネル１Ｇ（反射型表示装置）は、上記第１の実施形態に係る反射型表示パネル１Ａの第１の電極層１１、カラーフィルタ層１７に代えて、第１の電極層７１、カラーフィルタ層７７を備える。
本実施形態に係る反射型表示パネル１Ｇは、上記第１の実施形態に係る反射型表示パネル１Ａが画素Ｐにおいて３色の組み合わせによってフルカラー表示を行うのに対して、画素Ｐにおいて２色の組み合わせによってカラー表示（以下、ダブルカラー表示と表記する）を行う点が異なる。
以下、上記第１の実施形態と異なる点を中心に説明する。
【０１４８】
ダブルカラー表示に用いる２色を以下、第１色、第２色と称するが、上記第１の実施形態における第１色、第２色とは異なっていてもよい。
ダブルカラー表示に用いる２色の例としては、例えば、赤とシアン、マゼンタと緑、黄と青、オレンジと緑などの例を挙げることができる。これら２色の組は、いずれが第１色、第２色として用いられてもよい。
ただし、２色は、これらの組み合わせに限定されることはない。ダブルカラー表示における２色は、必要とする表示色の色相に応じた適宜の２色の組み合わせが用いられてよい。
【０１４９】
第１の電極層７１は、上記第１の実施形態における第１色用サブ画素電極１１ｒ、第２色用サブ画素電極１１ｇ、第３色用サブ画素電極１１ｂに代えて、第１色用サブ画素電極７１ｒ、第２色用サブ画素電極７１ｃ、無彩色用サブ画素電極７１ｎを備える。
以下では、説明を簡単にするため、第１色用サブ画素電極７１ｒ、第２色用サブ画素電極７１ｃ、無彩色用サブ画素電極１１ｎ、７１ｎを総称する場合、「本実施形態における各サブ画素電極」あるいは単に「各サブ画素電極」と表記する場合がある。
【０１５０】
第１色用サブ画素電極７１ｒ、第２色用サブ画素電極７１ｃは、ダブルカラー表示に用いる第１色、第２色の階調を制御するために、反射表示層１３を駆動する駆動電圧をそれぞれ予め決められた領域に印加する駆動電極である。
無彩色用サブ画素電極７１ｎは、無彩色用サブ画素電極１１ｎと同様、無彩色の階調を制御する駆動電極である。
本実施形態における各サブ画素電極は、ダブルカラー表示の画像信号によって駆動される以外は、上記第１の実施形態における各サブ画素電極と同様に構成される。
【０１５１】
カラーフィルタ層７７は、上記第１の実施形態のカラーフィルタ層１７の第２着色層１７ｇを削除し、第１着色層１７ｒ、第３着色層１７ｂに代えて、第１着色層７７ｒ、第２着色層７７ｃを備えて構成される。削除された第２着色層１７ｇの領域は、非着色領域１７ｎと同様の非着色領域７７ｎとされている。
第１着色層７７ｒ（第２着色層７７ｃ）は、ダブルカラー表示に用いる第１色（第２色）の波長成分のみを透過する透過波長帯域を有する。
【０１５２】
このような構成により、本実施形態に反射型表示パネル１Ｇでは、各画素Ｐにおいて、第１着色層７７ｒ、第２着色層７７ｃ、非着色領域１７ｎ、７７ｎは、それぞれ、第１色用サブ画素電極７１ｒ、第２色用サブ画素電極７１ｃ、および無彩色用サブ画素電極１１ｎ、７１ｎによって駆動される各サブ画素に重なっている。
第１着色層７７ｒ、第２着色層７７ｃは、上記第１の実施形態における第１着色層１７ｒ、第３着色層１７ｂと同様、４つの画素に重なる画素境界横断着色層になっている。
非着色領域１７ｎ、７７ｎが形成されたサブ画素は非着色サブ画素になっている。
【０１５３】
本実施形態に係る反射型表示パネル１Ｇは、ダブルカラー表示の画像信号に基づいてダブルカラー表示が行える。本実施形態において、各着色層が配置された各サブ画素における着色部面積率は、上記第１の実施形態と同様である。
【０１５４】
本実施形態に係る反射型表示パネル１Ｇでは、各着色層がそれぞれ４つのサブ画素に重なる画素境界横断着色層であるため、横断着色層を含まない場合に比べて着色部面積率が高くなる。このため、反射型表示パネル１Ｇによれば、横断着色層を含まない場合に比べて表示色の彩度の低下を低減することができる。
【０１５５】
［第６の実施形態］
次に、本発明の第６の実施形態に係る反射型表示装置について説明する。
図１１は、本発明の第６の実施形態に係る反射型表示装置の主要部の構成を示す模式的な平面図である。
【０１５６】
図１１に主要部を示すように、本実施形態に係る反射型表示パネル１Ｈ（反射型表示装置）は、上記第２の実施形態に係る反射型表示パネル１Ｂの第１の電極層３１、カラーフィルタ層３７に代えて、第１の電極層８１、カラーフィルタ層８７を備える。
本実施形態に係る反射型表示パネル１Ｈは、上記第２の実施形態に係る反射型表示パネル１Ｂが画素Ｐにおいて３色の組み合わせによってフルカラー表示を行うのに対して、画素Ｐにおいてダブルカラー表示を行う点が異なる。
以下、上記第２の実施形態および第５の実施形態と異なる点を中心に説明する。
【０１５７】
第１の電極層８１は、上記第２の実施形態における第１色用サブ画素電極１１ｒ、第２色用サブ画素電極１１ｇ、第３色用サブ画素電極１１ｂに代えて、第１色用サブ画素電極８１ｒ、第２色用サブ画素電極８１ｃ、無彩色用サブ画素電極８１ｎを備える。
以下では、説明を簡単にするため、第１色用サブ画素電極８１ｒ、第２色用サブ画素電極８１ｃ、無彩色用サブ画素電極１１ｎ、８１ｎを総称する場合、「本実施形態における各サブ画素電極」あるいは単に「各サブ画素電極」と表記する場合がある。
【０１５８】
第１色用サブ画素電極８１ｒ、第２色用サブ画素電極８１ｃは、ダブルカラー表示に用いる第１色、第２色の階調を制御するために、反射表示層１３を駆動する駆動電圧をそれぞれ予め決められた領域に印加する駆動電極である。
無彩色用サブ画素電極８１ｎは、無彩色用サブ画素電極１１ｎと同様、無彩色の階調を制御する駆動電極である。
本実施形態における各サブ画素電極は、ダブルカラー表示の画像信号によって駆動される以外は、上記第２の実施形態における各サブ画素電極と同様に構成される。
【０１５９】
カラーフィルタ層８７は、上記第２の実施形態のカラーフィルタ層３７の第３着色層３７ｂを削除し、第１着色層３７ｒ、第２着色層３７ｇに代えて、第１着色層８７ｒ、第２着色層８７ｃを備えて構成される。削除された第３着色層３７ｂが重ねられていたサブ画素の領域と非着色領域３７ｎとを合わせた領域とは、非着色領域３７ｎと同様の非着色領域８７ｎとされている。
【０１６０】
このような構成により、本実施形態に反射型表示パネル１Ｈでは、各画素Ｐにおいて、第１着色層８７ｒ、第２着色層８７ｃ、非着色領域８７ｎは、それぞれ、第１色用サブ画素電極８１ｒ、第２色用サブ画素電極８１ｃ、および無彩色用サブ画素電極１１ｎ、８１ｎによって駆動される各サブ画素に重なっている。
第１着色層８７ｒ、第２着色層８７ｃは、上記第２の実施形態における第１着色層３７ｒ、第２着色層３７ｇと同様、４つの画素に重なる画素境界横断着色層になっている。
非着色領域８７ｎが形成されたサブ画素は非着色サブ画素になっている。
【０１６１】
本実施形態に係る反射型表示パネル１Ｈは、ダブルカラー表示の画像信号に基づく点以外は上記第２の実施形態と同様にして、ダブルカラー表示が行える。本実施形態において、各着色層が配置されたサブ画素における着色部面積率は、上記第２の実施形態と同様である。
【０１６２】
本実施形態に係る反射型表示パネル１Ｈでは、各着色層がそれぞれ２つのサブ画素に重なる画素境界横断着色層であるため、横断着色層を含まない場合に比べて着色部面積率が高くなる。このため、反射型表示パネル１Ｈによれば、横断着色層を含まない場合に比べて表示色の彩度の低下を低減することができる。
【０１６３】
［第４変形例］
次に、本発明の第６の実施形態の変形例（第４変形例）の反射型表示装置について説明する。
図１２は、本発明の第６の実施形態の変形例（第４変形例）の反射型表示装置の主要部の構成を示す模式的な平面図である。
【０１６４】
図１２に主要部を示すように、本変形例の反射型表示パネル１Ｊ（反射型表示装置）は、上記第６の実施形態に係る反射型表示パネル１Ｈの第１の電極層８１、カラーフィルタ層８７に代えて、第１の電極層９１、カラーフィルタ層９７を備える。
本変形例の反射型表示パネル１Ｊは、上記第６の実施形態に係る反射型表示パネル１Ｈのカラーフィルタ層９７に、上記第２の実施形態の第３変形例と同様の変形を施して構成される。
以下、上記第６の実施形態および第３変形例と異なる点を中心に説明する。
【０１６５】
第１の電極層９１は、後述するカラーフィルタ層９７における着色層の配置パターンに応じて、各サブ画素電極の配置パターンが異なる以外は、上記第６の実施形態における第１の電極層８１と同様に構成される。
例えば、画素Ｐ１では、サブ画素Ｑ１、Ｑ２、Ｑ３、Ｑ４に対向して、それぞれ無彩色用サブ画素電極８１ｎ、１１ｎ、第２色用サブ画素電極８１ｃ、第１色用サブ画素電極８１ｒが配置されている。
画素Ｐ２、Ｐ４における各サブ画素電極の配置パターンは、画素Ｐ１における配置パターンを図１２において反時計回りに９０°回転したパターンに相当する。すなわち画素Ｐ２、Ｐ４では、サブ画素Ｑ２、Ｑ３、Ｑ４、Ｑ１に対向して、無彩色用サブ画素電極８１ｎ、１１ｎ、第２色用サブ画素電極８１ｃ、第１色用サブ画素電極８１ｒが配置されている。
画素Ｐ３における各サブ画素電極の配置パターンは、画素Ｐ１における配置パターンと同じである。
【０１６６】
カラーフィルタ層９７は、上記第６の実施形態のカラーフィルタ層８７の第２着色層８７ｃに代えて、第２着色層９７ｃ（着色層、横断着色層、画素境界横断着色層）を備える。
以下では、説明を簡単にするため、第１着色層８７ｒ、および第２着色層９７ｃを総称する場合、「本変形例における各着色層」あるいは単に「各着色層」と表記する場合がある。
第２着色層９７ｃは、平面視形状がＸ方向に長い矩形である。第２着色層９７ｃの平面視形状は、上記第３変形例における第２着色層４７ｇと同様である。
第２着色層９７ｃは、上記第６の実施形態における第２着色層８７ｃを９０°回転して、Ｘ方向に隣接する２つのサブ画素に重なるように配置したような位置関係に配置されている。
第２着色層９７ｃは、このような平面視形状と配置位置とを有する点とを除いて、上記第６の実施形態における第２着色層８７ｃと同様に構成される。
第２着色層９７ｃが重ねられた２つのサブ画素のＹ方向に隣り合う２つのサブ画素は、上記第３変形例と同様、着色層が重ねられていない非着色領域４７ｎを構成する。
第１着色層８７ｒと、第２着色層９７ｃおよび非着色領域４７ｎとの間に挟まれ、Ｙ方向に隣り合う２つのサブ画素は、非着色領域９７ｎを構成する。
【０１６７】
カラーフィルタ層９７は、Ｘ方向において隣り合う第１着色層８７ｒおよび非着色領域９７ｎからなる第１の繰り返し単位と、Ｙ方向において隣り合う第２着色層９７ｃおよび非着色領域４７ｎからなる第２の繰り返し単位とが、Ｘ方向において交互に配置されている。さらに、カラーフィルタ層９７では、第１の繰り返し単位と第２の繰り返し単位とが、Ｙ方向においても交互に配置されている。
これらの第１の繰り返し単位および第２の繰り返し単位は、各画素Ｐに対して、Ｘ方向にＷＸ、Ｙ方向にＷＹだけずらされている。
【０１６８】
このような構成により、本変形例に反射型表示パネル１Ｊでは、各画素Ｐにおいて、第１着色層８７ｒ、第２着色層９７ｃ、非着色領域９７ｎ、４７ｎは、それぞれ、第１色用サブ画素電極８１ｒ、第２色用サブ画素電極８１ｃ、および無彩色用サブ画素電極１１ｎ、８１ｎによって駆動される各サブ画素に重なっている。
第１着色層８７ｒ、第２着色層９７ｃは、上記第６の実施形態における第１着色層８７ｒ、第２着色層８７ｇと同様、２つの画素に重なる画素境界横断着色層になっている。
非着色領域９７ｎ、４７ｎが形成されたサブ画素は非着色サブ画素になっている。
【０１６９】
本変形例の反射型表示パネル１Ｊは、上記第６の実施形態と同様にしてダブルカラー表示が行える。本変形例において、着色層が配置されたサブ画素における着色部面積率は、上記第６の実施形態と同様である。
【０１７０】
本変形例の反射型表示パネル１Ｊでは、各着色層がそれぞれ２つのサブ画素に重なる画素境界横断着色層であるため、横断着色層を含まない場合に比べて着色部面積率が高くなる。このため、反射型表示パネル１Ｊによれば、横断着色層を含まない場合に比べて表示色の彩度の低下を低減することができる。
【０１７１】
［第７の実施形態］
次に、本発明の第７の実施形態に係る反射型表示装置について説明する。
図１３は、本発明の第７の実施形態に係る反射型表示装置の主要部の構成を示す模式的な平面図である。
【０１７２】
図１３に主要部を示すように、本実施形態に係る反射型表示パネル１Ｋ（反射型表示装置）は、上記第３の実施形態に係る反射型表示パネル１Ｅの第１の電極層５１、カラーフィルタ層５７に代えて、第１の電極層１０１、カラーフィルタ層１０７を備える。
本実施形態に係る反射型表示パネル１Ｋは、上記第３の実施形態に係る反射型表示パネル１Ｅが画素Ｐにおいて３色の組み合わせによってフルカラー表示を行うのに対して、画素Ｐにおいてダブルカラー表示を行う点が異なる。
以下、上記第３の実施形態と異なる点を中心に説明する。
【０１７３】
第１の電極層１０１は、上記第３の実施形態における第１色用サブ画素電極５１ｒ、第２色用サブ画素電極５１ｇ、および第３色用サブ画素電極５１ｂに代えて、第１色用サブ画素電極１０１ｒ、第２色用サブ画素電極１０１ｃ、無彩色用サブ画素電極１０１ｎを備える。
以下では、説明を簡単にするため、第１色用サブ画素電極１０１ｒ、第２色用サブ画素電極１０１ｃ、無彩色用サブ画素電極５１ｎ、１０１ｎを総称する場合、「本実施形態における各サブ画素電極」あるいは単に「各サブ画素電極」と表記する場合がある。
【０１７４】
第１色用サブ画素電極１０１ｒ、第２色用サブ画素電極１０１ｃは、ダブルカラー表示に用いる第１色、第２色の階調を制御するために、反射表示層１３を駆動する駆動電圧をそれぞれ予め決められた領域に印加する駆動電極である。
無彩色用サブ画素電極１０１ｎは、無彩色用サブ画素電極５１ｎと同様、無彩色の階調を制御する駆動電極である。
本実施形態における各サブ画素電極は、ダブルカラー表示の画像信号によって駆動される以外は、上記第３の実施形態における各サブ画素電極と同様に構成される。
例えば、画素Ｐ１では、サブ画素Ｔ１、Ｔ２、Ｔ３、Ｔ４に対向して、それぞれ第２色用サブ画素電極１０１ｃ、無彩色用サブ画素電極１０１ｎ、５１ｎ、第１色用サブ画素電極１０１ｒが配置されている。
画素Ｐ２、Ｐ４における各サブ画素電極の配置パターンは、画素Ｐ１における配置パターンを１８０°回転したパターンに相当する。
画素Ｐ３における各サブ画素電極の配置パターンは、画素Ｐ１における配置パターンと同じである。
【０１７５】
カラーフィルタ層１０７は、上記第３の実施形態のカラーフィルタ層５７の第３着色層５７ｂを削除し、第１着色層５７ｒ、第２着色層５７ｇに代えて、第１着色層１０７ｒ、第２着色層１０７ｃを備えて構成される。削除された第３着色層５７ｂ重ねられていたサブ画素の領域と非着色領域５７ｎとを合わせた領域は、非着色領域５７ｎと同様の非着色領域１０７ｎとされている。
カラーフィルタ層１０７では、ｙ方向において第１着色層１０７ｒおよび第２着色層１０７ｃが交互に配列された第１の配列と、ｙ方向において非着色領域１０７ｎのみが配列された第２の配列とが、ｘ方向において交互に配列されている。
さらに、カラーフィルタ層１０７では、ｘ方向において第１着色層１０７ｒおよび非着色領域１０７ｎが交互に配列された第３の配列と、ｘ方向において第２着色層１０７ｃおよび非着色領域１０７ｎが交互に配列された第３の配列とが、ｙ方向において交互に配列されている。
【０１７６】
このような構成により、本実施形態に反射型表示パネル１Ｋでは、各画素Ｐにおいて、第１着色層１０７ｒ、第２着色層１０７ｃ、非着色領域１０７ｎは、それぞれ、第１色用サブ画素電極１０１ｒ、第２色用サブ画素電極１０１ｃ、および無彩色用サブ画素電極５１ｎ、１０１ｎによって駆動される各サブ画素に重なっている。
第１着色層１０７ｒ、第２着色層１０７ｃは、上記第３の実施形態における第１着色層５７ｒ、第２着色層５７ｇと同様、２つの画素に重なる画素境界横断着色層になっている。
非着色領域５７ｎ、１０７ｎが形成されたサブ画素は非着色サブ画素になっている。
【０１７７】
本実施形態に係る反射型表示パネル１Ｋは、ダブルカラー表示の画像信号に基づく点以外は上記第３の実施形態と同様にして、ダブルカラー表示が行える。本実施形態において、各着色層が配置された各サブ画素における着色部面積率は、上記第３の実施形態と同様である。
【０１７８】
本実施形態に係る反射型表示パネル１Ｋでは、各着色層がそれぞれ２つのサブ画素に重なる画素境界横断着色層であるため、横断着色層を含まない場合に比べて着色部面積率が高くなる。このため、反射型表示パネル１Ｋによれば、横断着色層を含まない場合に比べて表示色の彩度の低下を低減することができる。
【０１７９】
［第５変形例］
次に、本発明の第７の実施形態の変形例（第５変形例）の反射型表示装置について説明する。
図１４は、本発明の第７の実施形態の変形例（第５変形例）の反射型表示装置の主要部の構成を示す模式的な平面図である。
【０１８０】
図１４に主要部を示すように、本変形例の反射型表示パネル１Ｌ（反射型表示装置）は、上記第７の実施形態に係る反射型表示パネル１Ｋの第１の電極層１０１、カラーフィルタ層１０７に代えて、第１の電極層１１１、カラーフィルタ層１１７を備える。
本変形例の反射型表示パネル１Ｌは、上記第７の実施形態に係る反射型表示パネル１Ｋにおける第１の電極層１０１、カラーフィルタ層１０７における各サブ画素電極、各着色層の配置位置を変えて構成される。
以下、上記第７の実施形態と異なる点を中心に説明する。
【０１８１】
第１の電極層１１１は、後述するカラーフィルタ層１０７における着色層の配置パターンに応じて、各サブ画素電極の配置パターンが異なる以外は、上記第７の実施形態における第１の電極層１０１と同様に構成される。
例えば、画素Ｐ１では、サブ画素Ｔ１、Ｔ２、Ｔ３、Ｔ４に対向して、それぞれ無彩色用サブ画素電極１１１ｎ、第２色用サブ画素電極１１１ｃ、無彩色用サブ画素電極５１ｎ、第１色用サブ画素電極１１１ｒが配置されている。
画素Ｐ２、Ｐ４における各サブ画素電極の配置パターンは、画素Ｐ１における配置パターンを１８０°回転したパターンに相当する。
画素Ｐ３における各サブ画素電極の配置パターンは、画素Ｐ１における配置パターンと同じである。
【０１８２】
カラーフィルタ層１１７は、上記第７の実施形態におけるカラーフィルタ層１０７の第２着色層１０７ｃを、Ｘ方向およびＹ方向において第１着色層１０７ｒ同士に挟まれる非着色領域１０７ｎに移動することで形成されている。
このため、本変形例におけるカラーフィルタ層１１７では、ｘ方向においては第１着色層１０７ｒ同士に挟まれ、ｙ方向においては第２着色層１０７ｃ同士に挟まれる２つのサブ画素の領域に、上記第３の実施形態と同様の非着色領域５７ｎが形成されている。
【０１８３】
カラーフィルタ層１１７は、ｘ方向において第１着色層１１７ｒおよび非着色領域５７ｎが交互に配置された第１の配列と、ｘ方向において第２着色層１０７ｃおよび非着色領域５７ｎが交互に配置された第２の配列とが、ｙ方向において交互に配置されている。さらに、カラーフィルタ層１１７では、ｙ方向において第１着色層１１７ｒおよび非着色領域５７ｎが交互に配置された第３の配列と、ｙ方向において第２着色層１０７ｃおよび非着色領域５７ｎが交互に配置された第４の配列とが、ｘ方向において交互に配置されている。
【０１８４】
このような構成により、本変形例の反射型表示パネル１Ｌでは、各画素Ｐにおいて、第１着色層１０７ｒ、第２着色層１０７ｃ、非着色領域５７ｎは、それぞれ、第１色用サブ画素電極１０１ｒ、第２色用サブ画素電極１１１ｃ、無彩色用サブ画素電極５１ｎ、１１１ｎによって駆動される各サブ画素に重なっている。
第１着色層１０７ｒ、第２着色層１０７ｃは、上記第７の実施形態におけると同様、２つの画素に重なる画素境界横断着色層になっている。
非着色領域５７ｎが形成されたサブ画素は非着色サブ画素になっている。
【０１８５】
本変形例の反射型表示パネル１Ｌは、上記第７の実施形態と同様にしてダブルカラー表示が行える。本変形例において、各着色層が配置された各サブ画素における着色部面積率は、上記第７の実施形態と同様である。
【０１８６】
本変形例の反射型表示パネル１Ｌでは、各着色層がそれぞれ２つのサブ画素に重なる画素境界横断着色層であるため、横断着色層を含まない場合に比べて着色部面積率が高くなる。このため、反射型表示パネル１Ｌによれば、横断着色層を含まない場合に比べて表示色の彩度の低下を低減することができる。
【０１８７】
［第８の実施形態］
次に、本発明の第８の実施形態に係る反射型表示装置について説明する。
図１５は、本発明の第８の実施形態に係る反射型表示装置の主要部の構成を示す模式的な平面図である。
【０１８８】
図１５に主要部を示すように、本実施形態に係る反射型表示パネル１Ｍ（反射型表示装置）は、上記第１の実施形態に係る反射型表示パネル１Ａの第１の電極層１１、カラーフィルタ層１７に代えて、第１の電極層１２１、カラーフィルタ層１２７を備える。
以下、上記第１の実施形態と異なる点を中心に説明する。
【０１８９】
第１の電極層１２１は、後述するカラーフィルタ層１２７における着色層の配置パターンに応じて、各サブ画素電極の配置パターンが異なる以外は、上記第１の実施形態における第１の電極層１１と同様に構成される。
第１の電極層１２１は、第１色用サブ画素電極１２１ｒ、第２色用サブ画素電極１２１ｃ、および無彩色用サブ画素電極１２１ｎを備える。
第１色用サブ画素電極１２１ｒ、第２色用サブ画素電極１２１ｃは、上記第５の実施形態における第１色用サブ画素電極７１ｒ、第２色用サブ画素電極７１ｃと同様、ダブルカラー表示に用いる第１色、第２色の階調を制御する駆動電極である。
無彩色用サブ画素電極１２１ｎは、上記第５の実施形態における無彩色用サブ画素電極７１ｎと同様、ダブルカラー表示に用いる無彩色の階調を制御する駆動電極である。
【０１９０】
第１の電極層１２１では、Ｘ方向において、２つの第１色用サブ画素電極１２１ｒと、２つの無彩色用サブ画素電極１２１ｎと、２つの第２色用サブ画素電極１２１ｃとがこの順に繰り返して配置されている。Ｙ方向においては、すべて同種のサブ画素電極が配列されている。
【０１９１】
Ｘ方向において第１色用サブ画素電極１２１ｒ、２つの無彩色用サブ画素電極１２１ｎ、第２色用サブ画素電極１２１ｃがこの順に配列された領域に対向する４つのサブ画素は、反射型表示パネル１Ｍにおけるダブルカラー表示の表示単位である画素ＰＬ（図１５に示された太破線を参照）を構成する。各画素ＰＬのＸ方向幅は４・ＷＸ、Ｙ方向幅はＷＹである。
Ｘ方向において、第２色用サブ画素電極１２１ｃ、２つの無彩色用サブ画素電極１２１ｎ、第１色用サブ画素電極１２１ｒがこの順に配列された領域に対向する４つのサブ画素は、反射型表示パネル１Ｍにおけるダブルカラー表示の表示単位である画素ＰＲ（図１５に示太破線を参照）を構成する。各画素ＰＲのＸ方向幅は４・ＷＸ、Ｙ方向幅はＷＹである。
以下では、各画素ＰＬ、ＰＲを総称して、画素Ｐと称する場合がある。各画素Ｐにおける各サブ画素は、Ｘ方向における順に、サブ画素ｑ１、ｑ２、ｑ３、ｑ４（図１５に示された細かい破線を参照）と表記する。
画素ＰＬの外形は、Ｙ方向に延びる辺Ｓ３、Ｓ１がＸ方向にこの順に並んでそれぞれ対向している。画素ＰＬの外形は、Ｘ方向に延びる辺Ｓ２、Ｓ４がＹ方向にこの順に並んでそれぞれ対向している。特に図示しないが、画素ＰＲの外形も同様である。
【０１９２】
上述のように、画素ＰＬ、ＰＲは、Ｘ方向において隣り合って配置されている。反射表示層１３において、画素ＰＬ、ＰＲは、Ｘ方向およびＹ方向における繰り返し単位ｖを構成している。繰り返し単位ｖの平面視の外形は、Ｘ方向に延びる辺の長さが８・ＷＸ、Ｙ方向に延びる辺の長さがＷＹの矩形である。繰り返し単位ｖは、Ｘ方向にはピッチ８・ＷＸで、Ｙ方向にはピッチＷＹで矩形格子状に配列されている。
【０１９３】
カラーフィルタ層１２７は、第１着色層１２７ｒと、第２着色層１２７ｃとを備えて構成される。
第１着色層１２７ｒ（第２着色層１２７ｃ）は、上記第５の実施形態の第１着色層７７ｒ（第２着色層７７ｃ）と同様、ダブルカラー表示に用いる第１色（第２色）の波長成分のみを透過する透過波長帯域を有する。
第１着色層１２７ｒ（第２着色層１２７ｃ）の平面視形状は、Ｘ方向幅が２・（ＷＸ−δ）で、Ｙ方向に延びるストライプ状に形成されている。第１着色層１２７ｒ（第２着色層１２７ｃ）は、Ｙ方向において反射型表示パネル１Ｍの有効表示画面を横断している。
第１着色層１２７ｒ、第２着色層１２７ｃは、Ｘ方向において、ピッチ４・ＷＸで、交互に平行に配列されている。
【０１９４】
第１着色層１２７ｒは、画素ＰＬにおいてはサブ画素ｑ４の領域内、画素ＰＲにおいてはサブ画素ｑ１の領域内において、それぞれサブ画素ｑ４、ｑ１と重なっている。
第１着色層１２７ｒは、画素ＰＬ（画素ＰＲ）のサブ画素ｑ４（ｑ１）の外形に対しては隙間δをあけてサブ画素ｑ４（ｑ１）と重なっている。
第１着色層１２７ｒは、画素ＰＬ、ＰＲの境界をなす画素ＰＬの辺Ｓ１（画素ＰＲの辺Ｓ３）を横断する画素境界横断着色層になっている。さらに、第１着色層１２７ｒは、Ｙ方向においては、Ｙ方向に隣り合う各画素ＰＬ、ＰＲをすべて横断している。
【０１９５】
第２着色層１２７ｃは、画素ＰＬにおいてはサブ画素ｑ１の領域内、画素ＰＲにおいてはサブ画素ｑ４の領域内において、それぞれサブ画素ｑ１、ｑ４と重なっている。
第２着色層１２７ｃは、画素ＰＬ（画素ＰＲ）のサブ画素ｑ１（ｑ４）の外形に対しては隙間δをあけてサブ画素ｑ１（ｑ４）と重なっている。
第２着色層１２７ｃは、画素ＰＬ、ＰＲの境界をなす画素ＰＬの辺Ｓ１（画素ＰＲの辺Ｓ４）を横断する画素境界横断着色層になっている。さらに、第２着色層１２７ｃは、Ｙ方向においては、Ｙ方向に隣り合う各画素ＰＬ、ＰＲをすべて横断している。
【０１９６】
Ｘ方向において、第１着色層１２７ｒ、第２着色層１２７ｃの間には、各サブ画素ｑ２、ｑ３を覆うようにＹ方向に連続する非着色領域１２７ｎが形成されている。
以下では、説明を簡単にするため、第１着色層１２７ｒおよび第２着色層１２７ｃを総称する場合、「本実施形態における各着色層」あるいは単に「各着色層」と表記する場合がある。
本実施形態の第１着色層１２７ｒ、第２着色層１２７ｃは、Ｘ方向（第１の配列方向）において隙間をあけて１次元的に配列され、画素Ｐに対向する領域では、互いに離間しかつサブ画素ごとにサブ画素の領域を超えることなくサブ画素に重なって配置された複数の着色層を構成している。
【０１９７】
本実施形態に係る反射型表示パネル１Ｍは、カラーフィルタ層１２７の製造工程において、各着色層の形状、種類、および配置が異なる以外は、上記第１の実施形態に係る反射型表示パネル１Ａと同様にして製造される。
【０１９８】
本実施形態に係る反射型表示パネル１Ｍは、各着色層がＸ方向において２つの画素に重なる画素境界横断着色層からなり、ダブルカラー表示の画像信号に基づいてダブルカラー表示が行える。
非着色領域１２７ｎが形成されたサブ画素は非着色サブ画素になっている。
各着色層が配置された各サブ画素における着色部面積率νは下記式（７）で表される。
【０１９９】
【数７】
2018092877.tif 000009
【０２００】
サブ画素のサイズと隙間δとが同一であればβ＜νの関係が成り立つ。このため、反射型表示パネル１Ｍによれば、第１の実施形態において上述した比較例に比べて、表示色の彩度の低下を低減することができる。
【０２０１】
［第６変形例］
次に、本発明の第８の実施形態の変形例（第６変形例）の反射型表示装置について説明する。
図１６は、本発明の第８の実施形態の変形例（第６変形例）の反射型表示装置の主要部の構成を示す模式的な平面図である。
【０２０２】
図１６に主要部を示すように、本変形例の反射型表示パネル１Ｎ（反射型表示装置）は、上記第８の実施形態に係る反射型表示パネル１Ｍの第１の電極層１２１、カラーフィルタ層１２７に代えて、第１の電極層１３１、カラーフィルタ層１３７を備える。
本変形例の反射型表示パネル１Ｎは、上記第８の実施形態に係る反射型表示パネル１Ｎの各画素Ｐが、４つのサブ画素で構成されているのに対して、３つのサブ画素で構成した点が異なる。具体的には、上記第８の実施形態においてサブ画素ｑ３を削除したのと同様の構成である。
以下、上記第８の実施形態と異なる点を中心に説明する。
【０２０３】
第１の電極層１３１は、上記第８の実施形態と同様、第１色用サブ画素電極１２１ｒ、第２色用サブ画素電極１２１ｃ、および無彩色用サブ画素電極１２１ｎを備える。
ただし、第１の電極層１３１では、Ｘ方向において、２つの第１色用サブ画素電極１２１ｒと、１つの無彩色用サブ画素電極１２１ｎと、２つの第２色用サブ画素電極１２１ｃとがこの順に繰り返して配置されている点が異なる。
【０２０４】
Ｘ方向において第１色用サブ画素電極１２１ｒ、無彩色用サブ画素電極１２１ｎ、第２色用サブ画素電極１２１ｃがこの順に配列された領域に対向する３つのサブ画素ｑ１、ｑ２、ｑ３は、反射型表示パネル１Ｎにおけるダブルカラー表示の表示単位である画素ＰＬ（図１６に示された太破線を参照）を構成する。各画素ＰＬのＸ方向幅は３・ＷＸ、Ｙ方向幅はＷＹである。
Ｘ方向において、第２色用サブ画素電極１２１ｃ、無彩色用サブ画素電極１２１ｎ、第１色用サブ画素電極１２１ｒがこの順に配列された領域に対向する３つのサブ画素ｑ１、ｑ２、ｑ３は、反射型表示パネル１Ｎにおけるダブルカラー表示の表示単位である画素ＰＲ（図１６に示された太破線を参照）を構成する。各画素ＰＲのＸ方向幅は３・ＷＸ、Ｙ方向幅はＷＹである。
以下では、各画素ＰＬ、ＰＲを総称して、画素Ｐと称する場合がある。
本変形例における各画素Ｐは、上記第８の実施形態におけるＸ方向幅が２・ＷＸの非着色領域１２７ｎが、Ｘ方向幅がＷＸの非着色領域１３７ｎに代えられた点が異なる。
画素ＰＬの外形は、Ｙ方向に延びる辺Ｓ３、Ｓ１がＸ方向にこの順に並んでそれぞれ対向している。画素ＰＬの外形は、Ｘ方向に延びる辺Ｓ２、Ｓ４がＹ方向にこの順に並んでそれぞれ対向している。特に図示しないが、画素ＰＲの外形も同様である。
【０２０５】
カラーフィルタ層１３７は、画素ＰＬにおける第１着色層１２７ｒがサブ画素ｑ３と、画素ＰＲにおける第２着色層１２７ｃがサブ画素ｑ３と重なっている以外は、上記第８の実施形態におけるカラーフィルタ層１２７と同様である。
【０２０６】
本変形例の反射型表示パネル１Ｎは、各着色層がＸ方向において２つの画素に重なる横断着色層からなり、ダブルカラー表示の画像信号に基づいてダブルカラー表示が行える。
各着色層が配置された各サブ画素における着色部面積率は、上記第８の実施形態と同様である。このため、反射型表示パネル１Ｎによれば、第１の実施形態において上述した比較例に比べて、表示色の彩度の低下を低減することができる。
【０２０７】
［第９の実施形態］
次に、本発明の第９の実施形態に係る反射型表示装置について説明する。
図１７Ａは、本発明の第９の実施形態に係る反射型表示装置の主要部の構成を示す模式的な平面図である。図１７Ｂは、図１７Ａにおける部分拡大図である。
【０２０８】
図１７Ａに主要部を示すように、本実施形態に係る反射型表示パネル１Ｐ（反射型表示装置）は、上記第８の実施形態の第６変形例の反射型表示パネル１Ｎの第１の電極層１３１、カラーフィルタ層１３７に代えて、第１の電極層１４１、カラーフィルタ層１４７を備える。
本実施形態に係る反射型表示パネル１Ｐは、上記第６変形例の着色層がＹ方向において有効表示画面を横断していたのに対して、Ｙ方向に細長い平面視矩形状の着色層がＸ方向およびＹ方向に隙間をあけて２次元的に配列されている点と、各画素においてフルカラー表示が行われる点とが異なる。
以下、上記第６変形例と異なる点を中心に説明する。
【０２０９】
図１７Ｂに示すように、第１の電極層１４１は、上記第６変形例における第１色用サブ画素電極１２１ｒ、第２色用サブ画素電極１２１ｃ、および無彩色用サブ画素電極１２１ｎに代えて、第１色用サブ画素電極１４１ｒ、第２色用サブ画素電極１４１ｇ、第３色用サブ画素電極１４１ｂを備える。
以下では、説明を簡単にするため、第１色用サブ画素電極１４１ｒ、第２色用サブ画素電極１４１ｇ、第３色用サブ画素電極１４１ｂを総称する場合、「本実施形態における各サブ画素電極」あるいは単に「各サブ画素電極」と表記する場合がある。
【０２１０】
第１色用サブ画素電極１４１ｒ、第２色用サブ画素電極１４１ｇ、第３色用サブ画素電極１４１ｂは、フルカラー表示に用いる第１色、第２色、第３色の階調を制御するために、反射表示層１３を駆動する駆動電圧をそれぞれ予め決められた領域に印加する駆動電極である。
本実施形態における各サブ画素電極は、フルカラー表示の画像信号によって駆動される点と、後述する着色層の配置に応じて画素内の位置が異なる点以外は、上記第６変形例における各サブ画素電極と同様に構成される。
図１７Ａに示すように、本実施形態における画素Ｐは、上記第６変形例における画素Ｐと同様、平面視形状がＸ方向に細長い矩形状である。このため、本実施形態における画素Ｐは、Ｘ方向に並んだ３つのサブ画素電極によって、３つのサブ画素に分割されている。ただし、本実施形態の画素Ｐは、各サブ画素電極の配列に応じて、画素ＰＡ、ＰＢ、ＰＣの３種類に分かれる。
【０２１１】
図１７Ｂに示すように、画素ＰＡでは、Ｘ方向において、第３色用サブ画素電極１４１ｂ、第２色用サブ画素電極１４１ｇ、および第１色用サブ画素電極１４１ｒがこの順に配列されている。画素ＰＡは、Ｙ方向に隣り合って３つ配列されている。この３つの画素ＰＡは、第１の画素群を構成している。第１の画素群は、サブ画素が３×３の矩形格子状に並んで構成されている。第１の画素群は、Ｘ方向にピッチ９・ＷＸで、Ｙ方向にピッチ９・ＷＹで配列された繰り返し単位を構成している。
【０２１２】
図示は省略するが、画素ＰＢでは、Ｘ方向において、第２色用サブ画素電極１４１ｇ、第１色用サブ画素電極１４１ｒ、および第３色用サブ画素電極１４１ｂがこの順に配列されている。画素ＰＣでは、Ｘ方向において、第１色用サブ画素電極１４１ｒ、第３色用サブ画素電極１４１ｂ、および第２色用サブ画素電極１４１ｇがこの順に配列されている。
画素ＰＢ、ＰＣも、画素ＰＡと同様に、Ｙ方向に３つ配置されており、それぞれ第２の画素群、第３の画素群を構成している。第２の画素群および第３の画素群は、第１の画素群と同様のピッチの繰り返し単位になっている。
第１、第２、および第３の画素群の配列順序は限定されない。本実施形態では、一例として、Ｘ方向には第１、第２、および第３の画素群の順で、Ｙ方向には第１、第３、および第２の画素群の順で配列されている。
以下、第１、第２、および第３の画素群を総称する場合には、「各画素群」と表記する場合がある。
【０２１３】
カラーフィルタ層１４７は、上記第６変形例のカラーフィルタ層１２７の第１着色層１２７ｒ、第２着色層１２７ｃに代えて、第１着色層１４７ｒ、第２着色層１４７ｇ、第３着色層１４７ｂ（着色層、横断着色層、画素境界横断着色層）を備えて構成される。
以下では、説明を簡単にするため、第１着色層１４７ｒ、第２着色層１４７ｇ、および第３着色層１４７ｂを総称する場合、「本実施形態における各着色層」あるいは単に「各着色層」と表記する場合がある。
第１着色層１４７ｒ（第２着色層１４７ｇ、第３着色層１４７ｂ）は、平面視形状がＹ方向に長い矩形である点と、配置位置が異なる点とを除いて、上記第１の実施形態における第１着色層１７ｒ（第２着色層１７ｇ、第３着色層１７ｂ）と同様に構成される。
各着色層のＸ方向幅はＷＸ−２・δ、Ｙ方向幅は３・ＷＹ−２・δである。
【０２１４】
図１７Ｂに第１の画素群の場合の例で示すように、第１着色層１４７ｒ（第２着色層１４７ｇ、第３着色層１４７ｂ）は、各画素群における各第１色用サブ画素電極１４１ｒ（各第２色用サブ画素電極１４１ｇ、各第３色用サブ画素電極１４１ｂ）と対向する位置に配置される。
例えば、第１の画素群の３つの画素ＰＡに対応する３個ずつのサブ画素を、Ｙ方向の順に（ｑ１，ｑ２，ｑ３）、（ｑ４，ｑ５，ｑ６）、（ｑ７，ｑ８，ｑ９）とする。かっこ内に示された符号の順序はＸ方向における順序を表す。
このとき、平面視において、第１着色層１４７ｒは、サブ画素ｑ３、ｑ６、ｑ９に重なるように配置されている。第２着色層１４７ｇは、サブ画素ｑ２、ｑ５、ｑ８に重なるように配置されている。第３着色層１４７ｂは、サブ画素ｑ１、ｑ４、ｑ７に重なるように配置されている。
【０２１５】
各着色層は、Ｘ方向における画素Ｐの境界およびサブ画素の境界に対して隙間δをあけて配置されている。各着色層のＹ方向における両端部は、Ｙ方向における画素Ｐの境界に対して隙間δをあけて配置されている。
【０２１６】
このような構成により、本実施形態に反射型表示パネル１Ｐでは、各画素Ｐにおいて、第１着色層１４７ｒ、第２着色層１４７ｇ、第３着色層１４７ｂが、Ｘ方向に並ぶ３つのサブ画素に重なっている。これらのサブ画素は、それぞれ、第１色用サブ画素電極１４１ｒ、第２色用サブ画素電極１４１ｇ、および第３色用サブ画素電極１４１ｂによって駆動される。
第１着色層１４７ｒ（第２着色層１４７ｇ、第３着色層１４７ｂ）は、各画素群において、Ｙ方向に並んだ３つの画素Ｐに重なり、かつ各画素群内の画素Ｐ間の２つの境界を横断する画素境界横断着色層になっている。
【０２１７】
本実施形態に係る反射型表示パネル１Ｐは、上記第１の実施形態と同様にして、フルカラー表示の画像信号に応じて、画素毎にフルカラー表示が行える。
各着色層が配置された各サブ画素における着色部面積率は、各着色層のＹ方向の両端部が重なるサブ画素ｑ１、ｑ２、ｑ３、ｑ７、ｑ８、ｑ９においては、上記式（３）に示すγとなる。
各着色層の中間部が重なるサブ画素ｑ４、ｑ５、ｑ６においては、下記式（８）に示すμとなる。
【０２１８】
【数８】
2018092877.tif 000010
【０２１９】
本実施形態に係る反射型表示パネル１Ｐでは、各着色層がそれぞれ３つのサブ画素に重なる画素境界横断着色層であるため、横断着色層を含まない場合に比べて着色部面積率が高くなる。このため、反射型表示パネル１Ｐによれば、横断着色層を含まない場合に比べて表示色の彩度の低下を低減することができる。
【０２２０】
［第１０の実施形態］
次に、本発明の第１０の実施形態に係る反射型表示装置について説明する。
図１８は、本発明の第１０の実施形態に係る反射型表示装置の主要部の構成を示す模式的な平面図である。
【０２２１】
図１８に主要部を示すように、本実施形態に係る反射型表示パネル１Ｑ（反射型表示装置）は、上記第１の実施形態に係る反射型表示パネル１Ａの第１の電極層１１、カラーフィルタ層１７に代えて、第１の電極層１５１、カラーフィルタ層１５７を備える。
ただし、図１８には、本実施形態における１つの画素Ｐの平面視の構成が示されている。後述するように、本実施形態の画素Ｐは、上記第１の実施形態とサブ画素の構成は異なるが、上記第１の実施形態と同様、Ｘ方向およびＹ方向をそれぞれ第１および第２の配列方向とする矩形格子状に配列されている。このため、本実施形態の画素Ｐは、Ｘ方向およびＹ方向における繰り返し単位Ｖを構成している。
以下、上記第１の実施形態と異なる点を中心に説明する。
【０２２２】
第１の電極層１５１は、上記第１の実施形態の第１色用サブ画素電極１１ｒ、第２色用サブ画素電極１１ｇ、第３色用サブ画素電極１１ｂ、無彩色用サブ画素電極１１ｎに代えて、第１色用サブ画素電極１５１ｒ、第２色用サブ画素電極１５１ｇ、第３色用サブ画素電極１５１ｂ、無彩色用サブ画素電極１５１ｎを備える。
以下では、説明を簡単にするため、第１色用サブ画素電極１５１ｒ、第２色用サブ画素電極１５１ｇ、第３色用サブ画素電極１５１ｂ、無彩色用サブ画素電極１５１ｎを総称する場合、「本実施形態における各サブ画素電極」あるいは単に「各サブ画素電極」と表記する場合がある。
【０２２３】
第１色用サブ画素電極１５１ｒ、第２色用サブ画素電極１５１ｇ、第３色用サブ画素電極１５１ｂは、フルカラー表示に用いる第１色、第２色、第３色、無彩色の階調を制御するために、反射表示層１３を駆動する駆動電圧をそれぞれ予め決められた領域に印加する駆動電極である。
本実施形態における各サブ画素電極は、後述する着色層の配置に応じて画素内の位置が異なる点以外は、上記第１の実施形態における各サブ画素電極と同様に構成される。
【０２２４】
各サブ画素は、平面視にて、それぞれ２×２の矩形格子状のサブ画素電極群を構成している。以下では、サブ画素電極群を区別する場合に、第１色用サブ画素電極１５１ｒ、第２色用サブ画素電極１５１ｇ、第３色用サブ画素電極１５１ｂ、無彩色用サブ画素電極１５１ｎが構成するサブ画素電極群を、それぞれ、第１、第２、第３、および第４のサブ画素電極群と表記する。
図１８に示すように、画素Ｐには、上記第１〜第４のサブ画素電極群が平面視にて２×２の矩形格子状に配置されている。第２のサブ画素電極群と第１のサブ画素電極群とは、Ｘ方向においてこの順に配置されている。第２のサブ画素電極群と第３のサブ画素電極群とは、Ｙ方向においてこの順に配置されている。第３のサブ画素電極群と第４のサブ画素電極群とは、Ｘ方向においてこの順に配置されている。このため、第１〜第４のサブ画素電極群は、図１８において反時計回りにこの順に配置されている。
【０２２５】
このような構成により、各サブ画素電極は、反射表示層１３を、反射率が変更可能な駆動単位であるサブ画素に分割している。
各サブ画素電極群に含まれる各サブ画素電極は、同一の駆動電圧が印加されてもよいし、非同一の駆動電圧が印加されてもよい。非同一の駆動電圧が印加される場合、サブ画素電極群に対応する表示色は、各サブ画素電極が有する階調数の４倍の階調数で表現されることが可能である。
【０２２６】
本実施形態では、画素Ｐは、平面視にて４×４の矩形格子状に配置された各サブ画素電極によって、１６個のサブ画素Ｑ１〜Ｑ１６に分割されている。４つのサブ画素Ｑ１〜Ｑ４（Ｑ５〜Ｑ８、Ｑ９〜Ｑ１２、Ｑ１３〜Ｑ１６）は、Ｘ方向にこの順に配置されている。４つのサブ画素Ｑ１、Ｑ５、Ｑ９、Ｑ１３は、Ｙ方向にこの順に配置されている。
第１色用サブ画素電極１５１ｒからなる第１のサブ画素電極群は、第１のサブ画素群であるサブ画素Ｑ３、Ｑ４、Ｑ７、Ｑ８の反射率を、第１色に対応する画像信号に応じて制御する。
第２色用サブ画素電極１５１ｇからなる第２のサブ画素電極群は、第２のサブ画素群であるサブ画素Ｑ１、Ｑ２、Ｑ５、Ｑ６の反射率を第２色に対応する画像信号に応じて制御する。
第３色用サブ画素電極１５１ｂからなる第３のサブ画素電極群は、第３のサブ画素群であるサブ画素Ｑ９、Ｑ１０、Ｑ１３、Ｑ１４の反射率を第３色に対応する画像信号に応じて制御する。
無彩色用サブ画素電極１５１ｎからなる第４のサブ画素電極群は、第４のサブ画素群であるサブ画素Ｑ１１、Ｑ１２、Ｑ１５、Ｑ１６の反射率を無彩色に対応する画像信号に応じて制御する。
以下では、説明を簡単にするため、第１〜第４のサブ画素電極群、第１〜第４のサブ画素群を総称する場合、「各サブ画素電極群」、「各サブ画素群」と表記する場合がある。
【０２２７】
本実施形態において、画素Ｐの平面視形状は、４・ＷＸ×４・ＷＹの矩形状である。各サブ画素群の平面視形状は、２・ＷＸ×２・ＷＹの矩形状である。
【０２２８】
カラーフィルタ層１５７は、上記第１のカラーフィルタ層１７の第１着色層１７ｒ、第２着色層１７ｇ、第３着色層１７ｂに代えて、第１着色層１５７ｒ、第２着色層１５７ｇ、第３着色層１５７ｂ（着色層、横断着色層）を備えて構成される。
以下では、説明を簡単にするため、第１着色層１５７ｒ、第２着色層１５７ｇ、および第３着色層１５７ｂを総称する場合、「本実施形態における各着色層」あるいは単に「各着色層」と表記する場合がある。
第１着色層１５７ｒ（第２着色層１５７ｇ、第３着色層１５７ｂ）は、平面視の大きさが異なる点を除いて、上記第１の実施形態における第１着色層１７ｒ（第２着色層１７ｇ、第３着色層１７ｂ）と同様に構成される。
各着色層の、Ｘ方向幅は２・（ＷＸ−δ）、Ｙ方向幅は２・（ＷＹ−δ）である。
【０２２９】
第１着色層１５７ｒ（第２着色層１５７ｇ、第３着色層１５７ｂ）は、第１（第２、第３）のサブ画素群における中心に、第１着色層１５７ｒの図心が一致するように配置される。
このため、各着色層と、着色層のそれぞれが対向する各サブ画素群の外形境界と、の間には隙間δが形成されている。
さらに、各着色層は、平面視において、各サブ画素群を構成する４つのサブ画素の内部境界を跨いで、４つのサブ画素と重なっている。このため、本実施形態における各着色層は、反射表示層１３に対する対向方向から見て４つのサブ画素に重なる横断着色層を構成している。
第４のサブ画素群の各サブ画素は、いずれの着色層も対向されていないため、非着色サブ画素を構成している。第４のサブ画素群の領域は、非着色領域になっている。
【０２３０】
本実施形態に係る反射型表示パネル１Ｑは、フルカラー表示の画像信号に応じて、画素毎にフルカラー表示が行える。
各着色層が配置された各サブ画素における着色部面積率は、上記第１の実施形態と同様、上記式（１）に示すαとなる。
このため、各サブ画素群を構成する４つのサブ画素に対向して、互いに離間する４つの着色層を配置する場合に比べて、着色部面積率が向上する。
【０２３１】
本実施形態に係る反射型表示パネル１Ｑでは、各着色層がそれぞれ４つのサブ画素に重なる横断着色層である。このため、反射型表示パネル１Ｑによれば、横断着色層を含まない場合に比べて表示色の彩度の低下を低減することができる。
【０２３２】
［第１１の実施形態］
次に、本発明の第１１の実施形態に係る反射型表示装置について説明する。
図１９Ａは、本発明の第１０の実施形態に係る反射型表示装置の主要部の構成を示す模式的な平面図である。図１９Ｂは、図１９Ａにおける部分拡大図である。
【０２３３】
図１９Ａに主要部を示すように、本実施形態に係る反射型表示パネル１Ｒ（反射型表示装置）は、上記第９の実施形態に係る反射型表示パネル１Ｐと、画素構成を除いて同様の構成を備える。反射型表示パネル１Ｒでは、上記第９の実施形態における第１〜第３の画素群に代えて、画素Ｐａ、Ｐｂ、Ｐｃを備える。以下では、画素Ｐａ、Ｐｂ、Ｐｃの区別が不要の場合には、単に画素Ｐと表記する。
以下、上記第９の実施形態と異なる点を中心に説明する。
【０２３４】
上記第９の実施形態では、Ｘ方向に並んだ１×３の３つのサブ画素がＹ方向に３つ並ぶことで、画素ＰＡ、ＰＢ、ＰＣが構成されている。さらに、各画素がそれぞれＹ方向に３つ並ぶことで、第１〜第３の画素群が構成されている。これにより、第１（第２、第３）の画素群においては、画素ＰＡ（ＰＢ、ＰＣ）がそれぞれに対応する画素信号に応じて互いに独立に駆動されることで、それぞれにフルカラー表示が可能である。
これに対して、本実施形態では、図１９Ｂに画素Ｐｂの場合の例で示すように、上記第９の実施形態におけるサブ画素ｑ１〜ｑ９に対応するサブ画素Ｑ１〜Ｑ９が１つの画素Ｐを構成している。
画素Ｐａ、Ｐｂ、Ｐｃの間の相違は、それぞれにおける各着色層の配列順序である。画素Ｐａ（Ｐｂ、Ｐｃ）における各着色層のＸ方向の配列順序は、上記第９の実施形態における画素ＰＡ（ＰＢ、ＰＣ）における各着色層のＸ方向の配列順序と同様である。
【０２３５】
平面視では、各画素Ｐの各着色層は、Ｙ方向に並ぶ３つのサブ画素、例えば、サブ画素［Ｑ１，Ｑ４，Ｑ７］、［Ｑ２，Ｑ５，Ｑ８］、［Ｑ３，Ｑ６，Ｑ９］にそれぞれ重なった状態で、Ｙ方向に隙間２・δをあけて隣り合って配列されている。
【０２３６】
このような構成により、本実施形態に反射型表示パネル１Ｒでは、各画素Ｐにおいて、第１着色層１４７ｒ、第２着色層１４７ｇ、第３着色層１４７ｂが、それぞれＹ方向に並ぶ３つのサブ画素に重なっている。これらのサブ画素は、それぞれ、Ｙ方向に並ぶ３つずつの第１色用サブ画素電極１４１ｒ、第２色用サブ画素電極１４１ｇ、および第３色用サブ画素電極１４１ｂによって駆動される。
１つの着色層に重なる３つのサブ画素電極は、同一の駆動電圧が印加されてもよいし、非同一の駆動電圧が印加されてもよい。非同一の駆動電圧が印加される場合、１つの着色層に対応する表示色は、３つのサブ画素電極が有する階調数の３倍の階調数で表現されることが可能である。
本実施形態における第１着色層１４７ｒ（第２着色層１４７ｇ、第３着色層１４７ｂ）は、各画素Ｐにおいて、Ｙ方向に並んだ３つのサブ画素に重なる横断着色層になっている。
【０２３７】
本実施形態に係る反射型表示パネル１Ｒは、上記第１の実施形態と同様にして、フルカラー表示の画像信号に応じて、画素毎にフルカラー表示が行える。
各着色層が配置された各サブ画素における着色部面積率は、上記第９の実施形態における着色部面積率と同様である。
【０２３８】
本実施形態に係る反射型表示パネル１Ｒでは、各着色層がそれぞれ３つのサブ画素に重なる横断着色層であるため、横断着色層を含まない場合に比べて着色部面積率が高くなる。このため、反射型表示パネル１Ｒによれば、横断着色層を含まない場合に比べて表示色の彩度の低下を低減することができる。
【０２３９】
なお、上記各実施形態および各変形例の説明では、各着色層がすべて横断着色層になっている場合の例で説明した。しかし、１つの画素に配置された着色層のうち、少なくとも１つの着色層が横断着色層であってもよい。
【０２４０】
上記第１〜第８、第１０の実施形態および各変形例の説明では、各着色層が配置されたサブ画素における着色部面積率が互いに等しい場合の例で説明した。しかし、例えば、各着色層は、２以上の着色層において互いに異なる着色部面積率を有していてもよい。
【０２４１】
上記第１の実施形態の第１変形例の説明では、着色層が第１色から第４色に着色されている場合の例で説明した。しかし、第４着色層２７ｙは、第１色から第３色のいずれかに着色されていてもよい。例えば、第１色から第３色が赤、緑、青である場合に、第４着色層２７ｙが緑に着色されていてもよい。
【０２４２】
上記各実施形態、各変形例の説明では、Ｘ方向とＹ方向とが直交している場合の例で説明した。しかし、Ｘ方向とＹ方向とは、９０°以外の角度で交差していてもよい。この場合、上述の説明において画素が矩形である等の記載は、適宜四角形等に読み換えればよい。
【０２４３】
上記各実施形態、各変形例の説明では、サブ画素の平面視形状が四角形または三角形の場合の例で説明した。しかし、各サブ画素の形状は、四角形、三角形以外の多角形でもよい。
【０２４４】
上記各実施形態、各変形例の説明では、画素の平面視の配列が、矩形格子状、斜行格子状などの例で説明した。しかし、例えば、画素の配列は三角格子状などの他の２次元配列であってもよい。
【０２４５】
上記第９および第１１の実施形態の説明では、着色層の繰り返しパターンの配列パターンが３種類の場合の例で説明した。しかし、これは一例であり、着色層の配列パターンはこれには限定されない。また、各画素群は、Ｘ方向にピッチ９・ＷＸで、Ｙ方向にピッチ９・ＷＹで配列された繰り返し単位を構成している場合の例で説明した。しかし、これは一例であり、各画素群の繰り返し単位はこれには限定されない。
【実施例】
【０２４６】
以下、上記第１、第５の実施形態に係る反射型表示パネルの実施例１、２について、比較例１、２とともに説明する。
下記［表１］に、実施例１、２、比較例１、２の構成と評価結果とを示す。【０２４７】
【表１】
2018092877.tif 000011
【０２４８】
［実施例１］
［表１］に示す実施例１は、上記第１の実施形態に係る反射型表示パネル１Ａの実施例である。すなわち、フルカラー表示を行うため、カラーフィルタ層１７の各着色層が４つの画素に重なっている実施例である。
実施例１の反射型表示パネル１Ａは、以下のようにして製造された。【０２４９】
ＰＥＴからなる基材１５上に、酸化インジウム錫（ＩＴＯ）からなる第２の電極層１４と、電気泳動表示媒体からなる反射表示層１３とがこの順に積層されることで、第１の積層体が形成された。
この後、ガラスからなる基板１０上に、ＩＴＯからなる第１の電極層１１が形成された。第１の電極層１１上に、透明アクリル粘着剤からなる接着層１２を介して、反射表示層１３が貼り合わされた。
この状態の基材１５上に、ポリエステル樹脂系のインクジェット受容層用樹脂ＮＳ−１４１ＬＸ（商品名；高松油脂（株）製）がコンマコーターを用いて連続塗工された。
この後、インクジェット受容層用樹脂が減圧乾燥機にて５分乾燥された。これにより、平均膜厚１０μｍのインク定着層１６が形成された。【０２５０】
第１の電極層１１は、各画素Ｐにおける各サブ画素のＸ方向幅ＷＸ、Ｙ方向幅ＷＹがそれぞれ２００μｍ、２００μｍとなるように形成された。
カラーフィルタ層１７を形成するインクは、以下のようにして製造された。
本実施例では、第１色には赤（以下、Ｒ）、第２色には緑（以下、Ｇ）、第３色には青（以下、Ｂ）が用いられた。
まず、下記［表２］に示すように、Ｒ、Ｇ、Ｂの着色剤を含む赤（Ｒ）分散液、緑（Ｇ）分散液、青（Ｂ）分散液がそれぞれ作製された。【０２５１】
【表２】
2018092877.tif 000012
【０２５２】
［表２］に示すように、Ｒ分散液は、７０重量部のジエチレングリコールモノエチルエーテルアセテート（Ｄｉｅｔｈｙｌｅｎｅ  Ｇｌｙｃｏｌ  Ｍｏｎｏｅｔｈｙｌ  Ｅｔｈｅｒ  Ａｃｅｔａｔｅ、以下、ＤＧＭＥＡと略記する）に、１０重量部の分散剤と、２０重量部のＲ色の顔料とが混合された。
分散剤としては、ソルスパース（登録商標）２００００（商品名；リューブリゾル社製）が用いられた。顔料としては、Ｃ．Ｉ．Ｐｉｇｍｅｎｔ  Ｒｅｄ  ２５４、Ｃ．Ｉ．Ｐｉｇｍｅｎｔ  Ｙｅｌｌｏｗ  １５０が、それぞれ１９重量部、１重量部用いられた。
この混合液において顔料を充分に分散させるために、ビーズミル分散の分散機が用いられた。このようにして、Ｒ分散液が作製された。
Ｇ分散液は、Ｒ分散液における顔料が、Ｃ．Ｉ．Ｐｉｇｍｅｎｔ  Ｇｒｅｅｎ  ５８（１５重量部）、Ｃ．Ｉ．Ｐｉｇｍｅｎｔ  Ｙｅｌｌｏｗ  １５０（５重量部）に変更された以外は、Ｒ分散液と同様にして作製された。
Ｂ分散液は、Ｒ分散液における顔料が、Ｃ．Ｉ．Ｐｉｇｍｅｎｔ  Ｂｌｕｅ  １５：６（１９重量部）、Ｃ．Ｉ．Ｐｉｇｍｅｎｔ  Ｖｉｏｌｅｔ  ２３（１重量部）に変更された以外は、Ｒ分散液と同様にして作製された。【０２５３】
得られたＲ分散液、Ｇ分散液、Ｂ分散液に、それぞれ、バインダー樹脂と、溶剤と加えてよく攪拌することで、赤（Ｒ）インク、緑（Ｇ）インク、青（Ｂ）インクが作製された。各インクの組成を下記［表３］に示す。【０２５４】
【表３】
2018092877.tif 000013
【０２５５】
［表３］に示すように、Ｒインクは、２０重量部のＲ分散液と、メラミン樹脂からなる２０重量部のバインダー樹脂と、６０重量部の有機溶剤であるＤＧＭＥＡとによって作製された。
メラミン樹脂は、ＭＷ−２２（商品名；（株）三和ケミカル製）が用いられた。
Ｇインク、Ｂインクは、ＲインクにおけるＲ分散液が、それぞれＧ分散液、Ｂ分散液に変更された以外は、Ｒインクと同様にして作製された。【０２５６】
この後、インク定着層１６上に、作製されたＲインク、Ｇインク、Ｂインクをインクジェット印刷装置によって描画することで、それぞれ、第１着色層１７ｒ、第２着色層１７ｇ、第３着色層１７ｂのパターンが塗工された。
インクジェット印刷装置としては、セイコーインスツルメンツ（株）製の１２ｐｌ、１８０ｄｐｉ（２．５４ｃｍ当たり１８０ドット）のインクジェットヘッドが搭載されたインクジェット印刷装置が用いられた。
各着色層は、δ＝７（μｍ）として、Ｘ方向幅が１９３μｍ、Ｙ方向幅が１９３μｍとされた。
この結果、［表１］に示すように、各着色層が配置された各サブ画素における着色部面積率は、９３％であった。
塗工されたインクは、減圧乾燥機にて５分乾燥された。これにより、カラーフィルタ層１７が形成された。
この後、カラーフィルタ層１７の上に、ポリイミドからなる保護層１８が積層された。
このようにして、上記第１の実施形態に対応する実施例１の反射型表示パネル１Ａが製造された。【０２５７】
［実施例２］
［表１］に示す実施例２は、上記第５の実施形態に係る反射型表示パネル１Ｇの実施例である。すなわち、ダブルカラー表示を行うため、カラーフィルタ層７７の各着色層が４つの画素に重なっている実施例である。ダブルカラーの第１色、第２色は、それぞれ、赤、シアン（以下、Ｃ）とされた。
実施例２の反射型表示パネル１Ｇは、各着色層の種類、配置位置が異なる以外は、上記実施例１と同様にして製造された。各サブ画素電極、各サブ画素、各画素、および各着色層の平面視の大きさは、上記実施例１と同様である。
このため、［表１］に示すように、本実施例における各着色層が配置された各サブ画素における着色部面積率も実施例１と同様、９３％であった。
本実施例における第１着色層７７ｒ、第２着色層７７ｃを製造した赤（Ｒ）分散液、シアン（Ｃ）分散液、赤（Ｒ）インク、シアン（Ｃ）インクの構成について、下記［表４］、［表５］に記載した。【０２５８】
【表４】
2018092877.tif 000014
【０２５９】
【表５】
2018092877.tif 000015
【０２６０】
上記［表４］、［表５］に示すように、Ｒ分散液、Ｒインクは、上記実施例１と同様の材質、組成で作製された。
Ｃ分散液は、Ｒ分散液における分散剤がＤＩＳＰＥＲ  ＢＹＫ（登録商標）−１１１（商品名；ビックケミー社製）、顔料が、Ｃ．Ｉ．Ｐｉｇｍｅｎｔ  Ｂｌｕｅ  １５：３（２０重量部）に変更された以外は、Ｒ分散液と同様にして作製された。
Ｃインクは、ＲインクにおけるＲ分散液が、Ｃ分散液に変更された以外は、Ｒインクと同様にして作製された。【０２６１】
［比較例１、２］
［表１］に示す比較例１は、各着色層を上記第１の実施形態において比較例の配置および平面視形状にした点が実施例１と異なる。このため、比較例１における各着色部面積率は、８７％であった。
比較例２は、比較例１において、第２着色層２１７ｇを削除し、第１着色層１７ｒ、第３着色層１７ｂの材料を、それぞれ上記実施例２と同様のＲインクおよびＣインクに変更して作製された。このため、比較例２における各着色部面積率は、比較例１と同様、８７％であった。【０２６２】
［評価］
実施例１、２、比較例１、２の反射型表示パネルの評価は、色再現性の測定によって行われた。
フルカラー表示における色再現性は、ＮＴＳＣ比によって評価された。
ＮＴＳＣ比は、反射型表示パネルにおける白黒表示を行って反射率の測定値、および赤青緑の各色表示における色度の測定値から算出された。
測定機としては、分光色差計ＣＭ−７００ｄ（商品名；コニカミノルタ（株）製）が用いられた。光源はＤ６５光源が用いられ、測定スポット径はΦ＝８（ｍｍ）とされた。
ダブルカラー表示における色再現性は、Ｒ表示、Ｃ表示における彩度Ｃ＊によって評価された。
彩度Ｃ＊は、反射型表示パネルによるＲ表示、Ｃ表示における明度の測定値から算出された。明度は、上記フルカラー表示の場合と同様の測定機、測定条件で測定された。
彩度Ｃ＊は、Ｌ＊ａ＊ｂ＊表色系で表現された彩度（Ｃ＊＝√｛（ａ＊）２＋（ｂ＊）２｝）である。【０２６３】
［評価結果］
［表１］に示すように、実施例１のＮＴＳＣ比は１０．２％となった。比較例１のＮＴＳＣ比は９．０％であったので、実施例１の色再現性は比較例１に比べて良好であった。
実施例２における彩度Ｃ＊は、Ｒ表示、Ｃ表示でそれぞれ１７．２、１６．３であった。比較例２では、Ｒ表示、Ｃ表示でそれぞれ１６．０、１５．２であったので、実施例２の色再現性は比較例２に比べて良好であった。
これは、実施例１、２では、着色部面積率が９３％と高いため、サブ画素での反射光における有彩色成分が、着色部面積率８７％の比較例１、２よりも増大したことによると考えられる。
このように、実施例１、２の反射型表示パネルによれば、比較例１、２に比べて彩度が高く、鮮やかな色を表示することができた。【０２６４】
以上、本発明の好ましい各実施形態、各変形例を各実施例とともに説明したが、本発明はこれら実施形態、変形例および実施例に限定されることはない。本発明の趣旨を逸脱しない範囲で、構成の付加、省略、置換、およびその他の変更が可能である。
また、本発明は前述した説明によって限定されることはなく、添付の特許請求の範囲によってのみ限定される。
例えば、無彩色用サブ画素電極に対向する非着色領域を有しない第９、第１１の実施形態において、無彩色用サブ画素電極と、無彩色用サブ画素電極に対向する非着色領域とを付加することが可能である。
例えば、上記第１〜第９の実施形態等のサブ画素を、上記第１０、第１１の実施形態と同様の複数のサブ画素に置換することによって、画素境界横断着色層でない横断着色層を付加することが可能である。
【符号の説明】
【０２６５】
１Ａ、１Ｂ、１Ｃ、１Ｄ、１Ｅ、１Ｆ、１Ｇ、１Ｈ、１Ｊ、１Ｋ、１Ｌ、１Ｍ、１Ｎ、１Ｐ、１Ｑ、１Ｒ  反射型表示パネル（反射型表示装置）
１１、２１、３１、４１、５１、６１、７１、８１、９１、１０１、１１１、１２１、１３１、１４１、１５１  第１の電極層
１１ｒ、５１ｒ、６１ｒ、７１ｒ、８１ｒ、１０１ｒ、１１１ｒ、１２１ｒ、１４１ｒ、１５１ｒ  第１色用サブ画素電極
１１ｇ、５１ｇ、６１ｇ、７１ｃ、８１ｃ、１０１ｃ、１１１ｃ、１２１ｃ、１４１ｇ、１５１ｇ  第２色用サブ画素電極
１１ｂ、５１ｂ、６１ｂ、１４１ｂ、１５１ｂ  第３色用サブ画素電極
１１ｎ、５１ｎ、６１ｎ、７１ｎ、８１ｎ、１０１ｎ、１２１ｎ、１５１ｎ  無彩色用サブ画素電極
１３  反射表示層（反射型表示部）
１３Ｂ  黒色部
１３Ｗ  白色部
１４  第２の電極層
１６  インク定着層
１７、２７、３７、４７、５７、７７、８７、９７、１０７、１１７、１２７、１３７、１４７、１５７  カラーフィルタ層
１９  光透過層
１７ｒ、３７ｒ、５７ｒ、７７ｒ、８７ｒ、１０７ｒ、１１７ｒ、１２７ｒ、１４７ｒ、１５７ｒ  第１着色層（着色層、横断着色層、画素境界横断着色層）
１７ｇ、３７ｇ、４７ｇ、５７ｇ、７７ｃ、８７ｃ、９７ｃ、１０７ｃ、１２７ｃ、１４７ｇ、１５７ｇ  第２着色層（着色層、横断着色層、画素境界横断着色層）
１７ｂ、３７ｂ、５７ｂ、１４７ｂ、１５７ｂ  第３着色層（着色層、横断着色層、画素境界横断着色層）
１７ｎ、３７ｎ、４７ｎ、５７ｎ、７７ｎ、８７ｎ、９７ｎ、１０７ｎ、１２７ｎ、１３７ｎ  非着色領域
２１ｙ  第４色用サブ画素電極
２７ｙ  第４着色層（着色層、横断着色層、画素境界横断着色層）
Ｐ、Ｐ１、Ｐ２、Ｐ３、Ｐ４、ｐ１、ｐ２、ｐ３、ｐ４、ＰＲ、ＰＬ、ＰＡ、ＰＢ、ＰＣ、Ｐａ、Ｐｂ、Ｐｃ  画素
Ｑ１、Ｑ２、Ｑ３、Ｑ４、Ｑ５、Ｑ６、Ｑ７、Ｑ８、Ｑ９、Ｑ１０、Ｑ１１、Ｑ１２、Ｑ１３、Ｑ１４、Ｑ１５、Ｑ１６、ｑ１、ｑ２、ｑ３、ｑ４、ｑ５、ｑ６、ｑ７、ｑ８、ｑ９、Ｔ１、Ｔ２、Ｔ３、Ｔ４、ｔ１、ｔ２、ｔ３、ｔ４  サブ画素
Ｕ、ｕ、Ｖ、ｖ  繰り返し単位
Ｒ１  第１列
Ｒ２  第２列
ＣＦ１  第１のカラーフィルタユニット
ＣＦ２  第２のカラーフィルタユニット
【図１】
2018092877.tif 000016
【図２】
2018092877.tif 000017
【図３】
2018092877.tif 000018
【図４Ａ】
2018092877.tif 000019
【図４Ｂ】
2018092877.tif 000020
【図５Ａ】
2018092877.tif 000021
【図５Ｂ】
2018092877.tif 000022
【図６】
2018092877.tif 000023
【図７】
2018092877.tif 000024
【図８】
2018092877.tif 000025
【図９】
2018092877.tif 000026
【図１０】
2018092877.tif 000027
【図１１】
2018092877.tif 000028
【図１２】
2018092877.tif 000029
【図１３】
2018092877.tif 000030
【図１４】
2018092877.tif 000031
【図１５】
2018092877.tif 000032
【図１６】
2018092877.tif 000033
【図１７Ａ】
2018092877.tif 000034
【図１７Ｂ】
2018092877.tif 000035
【図１８】
2018092877.tif 000036
【図１９Ａ】
2018092877.tif 000037
【図１９Ｂ】
2018092877.tif 000038
【国際調査報告】
2018092877.tif 000039
2018092877.tif 000040
2018092877.tif 000041